(57)【要約】  撮像レンズ（ＬＮ）は、少なくとも１つ以上のレンズブロック（ＢＫ）を含むとともに、開口絞り（ａｐｅ）を含む。このレンズブロック（ＢＫ）は異なる材質で形成される平行平板のレンズ基板（ＬＳ）とレンズ（Ｌ）とを含む。そして、この撮像レンズ（ＬＮ）では、第１レンズブロック（ＢＫ１）が、最も物体側に位置して、正パワーを発揮し、少なくとも１つのレンズブロック（ＢＫ）は、レンズ基板（ＬＳ）の物体側基板面または像側基板面のいずれか一方の基板面にのみレンズＬが連なる。
2008102776.tif 000002
【特許請求の範囲】
【請求項１】
平行平板であるレンズ基板と、前記レンズ基板の物体側基板面および像側基板面の少なくとも一方の基板面に連なる正パワーまたは負パワーを発揮するレンズと、を有するレンズブロックが、少なくとも１つ以上含まれるとともに、
光量を規制する開口絞りが含まれており、
前記レンズブロックは、前記レンズ基板とは異なる材質で形成される前記レンズを含み、
前記レンズブロックである第１レンズブロックが、最も物体側に位置して、正パワーを発揮し、
少なくとも１つの前記レンズブロックは、前記レンズ基板の物体側基板面または像側基板面のいずれか一方の基板面にのみ前記レンズを連ねる撮像レンズ。
【請求項２】
下記条件式（Ｄ１）が満たされる請求項１に記載の撮像レンズ。
０．６≦ｆ[BK1]／ｆ[all]≦２．０  …  （Ｄ１）
ただし、
ｆ[BK1]  ：第1レンズブロックの焦点距離
ｆ[all]     ：撮像レンズ全体の焦点距離
である。
【請求項３】
前記第１レンズブロックでは、前記レンズ基板である第１レンズ基板が含まれ、かつ、前記レンズであるレンズＬ[LS1o]が前記第１レンズ基板の物体側基板面に連なり、
前記レンズＬ[LS1o]の物体側レンズ面は、物体側凸面であり、
下記条件式（Ｄ２）が満たされる請求項１または２に記載の撮像レンズ。
１＜Ｎ[LS1]／Ｎ[L[LS1o]]  …  （Ｄ２）
ただし、
Ｎ[LS1]        ：第１レンズ基板の屈折率
Ｎ[L[LS1o]]   ：レンズＬ[LS1o]の屈折率
である。
【請求項４】
前記第１レンズブロックでは、前記レンズ基板である第１レンズ基板が含まれ、かつ、前記レンズであるレンズＬ[LS1o]が前記第１レンズ基板の物体側基板面に連なり、
前記レンズＬ[LS1o]の物体側レンズ面は、物体側凸面であり、
下記条件式（Ｄ３）が満たされる請求項１〜３のいずれか１項に記載の撮像レンズ。
１＜ν[L[LS1o]]／ν[LS1]  …  （Ｄ３）
ただし、
ν[LS1]        ：第１レンズ基板のアッベ数
ν[L[LS1o]]   ：レンズＬ[LS1o]のアッベ数
である。
【請求項５】
前記第１レンズブロックでは、前記レンズ基板である第１レンズ基板が含まれており、
下記条件式（Ｄ４）が満たされる請求項１〜４のいずれか１項に記載の撮像レンズ。
０．０３≦ｄ[LS1]／ＴＬ≦０．３３  …  （Ｄ４）
ただし、
ｄ[LS1]  ：第１レンズ基板の光軸上の厚み
ＴＬ     ：撮像レンズにて最も物体側の面から結像面に至るまでの光軸上の長
さ
である。
【請求項６】
前記レンズ基板の物体側基板面および像側基板面の両基板面に前記レンズを連ねる前記レンズブロックが少なくとも１つ含まれており、
下記条件式が満たされる請求項１〜５のいずれか１項に記載の撮像レンズ
１０＜｜ν[L[LSo]]−ν[L[LSm]]｜  …  （Ｄ５）
ただし、
ν[L[LSo]]  ：レンズ基板の物体側基板面および像側基板面の両基板面にレ
ンズを連ねるレンズブロックにて、物体側基板面に連なるレン
ズが有するアッベ数
ν[L[LSm]]  ：レンズ基板の物体側基板面および像側基板面の両基板面にレ
ンズを連ねるレンズブロックにて、像側基板面に連なるレンズ
が有するアッベ数
である。
【請求項７】
前記第１レンズブロックでは、前記レンズ基板である第１レンズ基板が含まれ、かつ、前記レンズであるレンズＬ[LS1o]が前記第１レンズ基板の物体側基板面に連なり、
下記条件式（Ｄ６）が満たされる請求項１〜６のいずれか１項に記載の撮像レンズ。
０≦ＤＴ[LS1o-ape]／ｄ[LS1]≦１  …  （Ｄ６）
ただし、
ＤＴ[LS1o-ape]  ：第１レンズ基板の物体側基板面から開口絞り面に至るまで
の長さ
ｄ[LS1]             ：第１レンズ基板の光軸上の厚み
である。
【請求項８】
前記開口絞りが、遮光性膜であり、前記第１レンズ基板の物体側基板面または像側基板面に形成されており、
下記条件式（Ｄ７）が満たされる請求項３〜７のいずれか１項に記載の撮像レンズ。
ｄ[ape]＜２５  …  （Ｄ７）
ただし、
ｄ[ape]  ：開口絞りの光軸方向の厚み［単位；μｍ］
である。
【請求項９】
前記開口絞りが、遮光性膜であり、前記第１レンズ基板の物体側基板面に形成される請求項３〜８のいずれか１項に記載の撮像レンズ。
【請求項１０】
前記レンズブロックが前記第１レンズブロックだけであり、
前記第１レンズブロックでは、前記レンズ基板である第１レンズ基板が含まれ、かつ、前記レンズであるレンズＬ[LS1m]のみが前記第１レンズ基板の像側基板面に連なり、
前記開口絞り、前記第１レンズ基板、前記レンズＬ[LS1m]が、この順で物体側から像側に向かって並び、
前記レンズＬ[LS1m]の像側面が、像側凸面である請求項請求項１または２に記載の撮像レンズ。
【請求項１１】
下記条件式（Ｄ４）が満たされる請求項１０に記載の撮像レンズ。
０．０３≦ｄ[LS1]／ＴＬ≦０．３３  …  （Ｄ４）
ただし、
ｄ[LS1]  ：第１レンズ基板の光軸上の厚み
ＴＬ     ：撮像レンズにて最も物体側の面から結像面に至るまでの光軸上の長
さ
である。
【請求項１２】
前記レンズブロックが少なくとも２つ以上含まれており、
前記第１レンズブロックでは、前記レンズ基板である第１レンズ基板が含まれ、かつ、前記レンズであるレンズＬ[LS1o]が前記第１レンズ基板の物体側基板面に連なり、
前記レンズＬ[LS1o]の物体側レンズ面は、物体側凸面であり、
前記レンズブロックである第２レンズブロックが前記第１レンズブロックの像側に位置し、
その第２レンズブロックでは、前記レンズ基板である第２レンズ基板が含まれ、かつ、前記レンズであるレンズＬ[LS2o]が前記第２レンズ基板の物体側基板面に連なり、
前記レンズＬ[LS2o]の物体側レンズ面は、物体側凹面である請求項１〜９のいずれか１項に記載の撮像レンズ。
【請求項１３】
前記レンズブロックが前記第１レンズブロックおよび前記第２レンズブロックだけであり、
前記第１レンズブロックでは、前記レンズであるレンズＬ[LS1m]が前記第１レンズ基板の像側基板面に連なり、
前記レンズＬ[LS1o]、前記第１レンズ基板、前記レンズＬ[LS1m]が、この順で物体側から像側に向けて並び、
前記第２レンズブロックでは、前記レンズＬ[LS2o]、前記第２レンズ基板が、この順で物体側から像側に向けて並び、
前記レンズＬ[LS1m]の像側レンズ面は、像側凸面である請求項１２に記載の撮像レンズ。
【請求項１４】
前記レンズブロックが少なくとも２つ以上含まれており、
前記第１レンズブロックでは、前記レンズ基板である第１レンズ基板が含まれ、かつ、前記レンズであるレンズＬ[LS1m]が前記第１レンズ基板の像側基板面に連なり、
前記レンズＬ[LS1m]の像側レンズ面は、像側凹面である請求項１〜９のいずれか１項に記載の撮像レンズ。
【請求項１５】
前記レンズブロックは２つだけであり、
前記第１レンズブロックでは、前記レンズであるレンズＬ[LS1o]が前記第１レンズ基板の物体側基板面に連なり、
前記レンズＬ[LS1o]、前記第１レンズ基板、前記レンズＬ[LS1m]が、この順で物体側から像側に向けて並び、
前記レンズブロックである第２レンズブロックが、前記第１レンズブロックの像側に位置し、
その第２レンズブロックでは、前記レンズ基板である第２レンズ基板が含まれ、かつ、前記レンズであるレンズＬ[LS2o]が前記第２レンズ基板の物体側基板面に連なり、前記レンズＬ[LS2o]、前記第２レンズ基板が、この順で物体側から像側に向けて並び、
前記レンズＬ[LS1o]の物体側レンズ面は、物体側凸面であり、
前記レンズＬ[LS2o]の物体側レンズ面は、物体側凹面である請求項１４に記載の撮像レンズ。
【請求項１６】
下記条件式（Ｄ８）が満たされる請求項１３〜１５のいずれか１項に記載の撮像レンズ。
Ａｒ／ＴＬ≦０．５  …  （Ｄ８）
ただし、
Ａｒ      ：撮像レンズにて、隣り合うレンズブロック同士の空気間隔の総和（
ただし、レンズブロックを除くパワーを有さない光学素子の厚みは
、空気換算した後、空気間隔に含む）
ＴＬ      ：撮像レンズにて最も物体側の面から結像面に至るまでの光軸上の長
さ
である。
【請求項１７】
前記レンズブロックは３つだけであり、
前記第１レンズブロックでは、前記レンズＬ[LS1o]、前記第１レンズ基板、前記レンズＬ[LS1m]が、この順で物体側から像側に向けて並び、
前記レンズブロックである第２レンズブロックが、前記第１レンズブロックの像側に位置し、
その第２レンズブロックでは、前記レンズ基板である第２レンズ基板が含まれ、かつ、前記レンズであるレンズＬ[LS2o]が前記第２レンズ基板の物体側基板面に連なり、前記レンズＬ[LS2o]、前記第２レンズ基板が、この順で物体側から像側に向けて並び、
前記レンズブロックである第３レンズブロックが、前記第２レンズブロックの像側に位置し、
その第３レンズブロックでは、前記レンズ基板である第３レンズ基板が含まれ、かつ、前記レンズであるレンズＬ[LS3o]が前記第３レンズ基板の物体側基板面に連なるとともに、前記レンズであるレンズＬ[LS3m]が前記第３レンズ基板の像側基板面に連なり、前記レンズＬ[LS3o]、前記第３レンズ基板、前記レンズＬ[LS3m]が、この順で物体側から像側に向けて並び、
前記レンズＬ[LS1o]の物体側レンズ面は、物体側凸面であり、
前記レンズＬ[LS2o]の物体側レンズ面は、物体側凹面であり、
前記レンズＬ[LS3o]の物体側レンズ面および前記レンズＬ[LS3m]の像側レンズ面が、非球面である請求項１４に記載の撮像レンズ。
【請求項１８】
前記レンズブロックは４つだけであり、
前記第１レンズブロックでは、前記レンズＬ[LS1o]、前記第１レンズ基板、前記レンズＬ[LS1m]が、この順で物体側から像側に向けて並び、
前記レンズブロックである第２レンズブロックが、前記第１レンズブロックの像側に位置し、
その第２レンズブロックでは、前記レンズ基板である第２レンズ基板が含まれ、かつ、前記レンズであるレンズＬ[LS2o]が前記第２レンズ基板の物体側基板面に連なるとともに、前記レンズであるレンズＬ[LS2m]が前記第２レンズ基板の像側基板面に連なり、前記レンズＬ[LS2o]、前記第２レンズ基板、前記レンズＬ[LS2m]が、この順で物体側から像側に向けて並び、
前記レンズブロックである第３レンズブロックが、前記第２レンズブロックの像側に位置し、
その第３レンズブロックでは、前記レンズ基板である第３レンズ基板が含まれ、かつ、前記レンズであるレンズＬ[LS3m]が前記第３レンズ基板の像側基板面に連なり、前記第３レンズ基板、前記レンズＬ[LS3m]が、この順で物体側から像側に向けて並び、
前記レンズブロックである第４レンズブロックが、前記第３レンズブロックの像側に位置し、
その第４レンズブロックでは、前記レンズ基板である第４レンズ基板が含まれ、かつ、前記レンズであるレンズＬ[LS4o]が前記第４レンズ基板の物体側基板面に連なるとともに、前記レンズであるレンズＬ[LS4m]が前記第４レンズ基板の像側基板面に連なり、前記レンズＬ[LS4o]、前記第４レンズ基板、前記レンズＬ[LS4m]が、この順で物体側から像側に向けて並び、
前記レンズＬ[LS1o]の物体側レンズ面は、物体側凸面であり、
前記レンズＬ[LS2o]の物体側レンズ面は、物体側凹面であり、
前記レンズＬ[LS3m]の像側レンズ面は、非球面であり、
前記レンズＬ[LS4o]の物体側レンズ面および前記レンズＬ[LS4m]の像側レンズ面が、非球面である請求項１４に記載の撮像レンズ。
【請求項１９】
下記条件式（Ｄ９）および（Ｄ１０）が満たされる請求項１７または１８に記載の撮像レンズ。
ＴＬ／Ｙ’≦２．０６    …  （Ｄ９）
Ａｒ／ＴＬ≦０．６      …  （Ｄ１０）
ただし、
ＴＬ      ：撮像レンズにて最も物体側の面から結像面に至るまでの光軸上の長
さ
Ｙ’      ：最大像高
Ａｒ      ：撮像レンズにて、隣り合うレンズブロック同士の空気間隔の総和（
ただし、レンズブロックを除くパワーを有さない光学素子の厚みは
、空気換算した後、空気間隔に含む）
である。
【請求項２０】
前記レンズ基板がガラスで形成される請求項１〜１９のいずれか１項に記載の撮像レンズ。
【請求項２１】
前記レンズが樹脂で形成される請求項１〜２０のいずれか１項に記載の撮像レンズ。
【請求項２２】
前記レンズとなる樹脂には、３０ｎｍ以下の粒径である無機微粒子が分散する請求項２１に記載の撮像レンズ。
【請求項２３】
前記樹脂は、硬化型樹脂である請求項２１または２２に記載の撮像レンズ。
【請求項２４】
請求項１〜２３のいずれか１項に記載の撮像レンズと、
前記撮像レンズを通過する光を撮像する撮像素子と、
を含む撮像装置。
【請求項２５】
請求項２４に記載の撮像装置を含む携帯端末。
【請求項２６】
請求項１〜２３のいずれか１項に記載の撮像レンズの製造方法にあって、
複数の前記レンズブロックを並べて含むユニットを、レンズブロック
ユニットとすると、
前記レンズブロックの周縁の少なくとも一部にスペーサを並べ、複数の前記レン
ズブロックユニットを、前記スペーサを介在させてつなげる連結工程と、
前記のつながるレンズブロックユニットを、前記スペーサに沿って切断する切断
工程と、
を含む撮像レンズの製造方法。
【発明の詳細な説明】
【技術分野】
【０００１】
本発明は、撮像レンズ、撮像装置、携帯端末、および撮像レンズの製造方法に関する。
【背景技術】
【０００２】
昨今、コンパクトで薄型の撮像装置が、コンパクトで薄型の電子機器である携帯端末｛例えば、携帯電話機やＰＤＡ(Personal  Digital  Assistant)等｝に搭載される。そして、このような携帯端末と、例えば遠隔地の電子機器との間では、音声情報および画像情報等の情報が双方向で伝送される。【０００３】
ところで、撮像装置に使用される撮像素子としては、例えば、ＣＣＤ(Charge  Coupled  Device)型イメージセンサおよびＣＭＯＳ(Complementary  Metal-Oxide  Semiconductor)型イメージセンサの固体撮像素子が挙げられる。また、昨今では、これらの撮像素子上に被写体像を形成する撮像レンズとして、安価に大量生産できる樹脂製レンズが、低コスト化のために用いられる。【０００４】
このような撮像レンズ、特に、携帯端末に内蔵される撮像装置（いわゆるカメラモジュール）に使用される撮像レンズとしては、プラスチックレンズ３枚構成のタイプ、および、ガラスレンズ１枚とプラスチックレンズ２枚とを含む３枚構成のタイプが、一般的によく知られている。しかしながら、これらの撮像レンズに対するさらなる超コンパクト化と高い量産化とは、技術的な限界から両立しにくい。【０００５】
このような問題点を克服する一対策として、レプリカ法（replica  method）が特許文献１に挙げられる。レプリカ法とは、１つのレンズ基板（ウェハ）に多数のレンズ（レンズ要素）を同時に形成する方法である。この方法で形成されるレンズを複数並べて含むレンズ基板（レンズユニット）は、ウェハ状の撮像素子（センサウェハ）につなげられた後に分割される。このようにして、分割されたレンズユニットで、撮像素子に対応する撮像レンズはウェハスケールレンズ（接合型複合レンズ）と呼ばれるとともに、このウェハスケールレンズと撮像素子とを含むモジュールはウェハスケールカメラモジュールと呼ばれる。【０００６】
そして、特許文献１は、レプリカ法で形成されたウェハスケールレンズ（レンズ基板の少なくとも１つの基板面にレンズが連なる光学要素；レンズブロックとも称す）を含む撮像レンズを開示する。なお、この撮像レンズにおけるウェハスケールレンズでは、レンズ基板上に回折面と屈折面とが同時に形成されており、それらによって、この撮像レンズは色収差を補正する。
【特許文献１】特開２００６−３２３３６５号公報
【発明の開示】
【発明が解決しようとする課題】
【０００７】
しかしながら、特許文献１に記載の撮像レンズのように、レンズ基板上に回折面および屈折面を同時に形成することは容易ではない。特に、比較的光学全長（レンズ系にて、最も物体側の入射面から撮像素子の撮像面に至るまでの光軸上の長さ）の短いレンズ系では、屈折面の中心厚は極めて薄くなってしまい、ウェハスケールレンズの形成は一層難しくなる。【０００８】
また、回折面を含む撮像レンズでは、設計波長以外での波長の光に関する回折効率は低下しやすい。さらには、回折面への入射光の角度特性が悪いと、その回折面に対する入射光の入射角度には制約がかかり、撮像レンズは広い画角を確保できない。その上、特許文献１に記載の撮像レンズのように、レンズ基板の両側にレンズが存在する場合、撮像レンズの組み立て時に両側のレンズを調芯させなくてはならず、レンズ数が増えるにつれて調芯時間が長くなる。【０００９】
また、ウェハスケールレンズであっても、従来のガラスまたは樹脂で形成されるノーマルなレンズ系（ノーマルレンズ）と同等の光学性能を有さなくてはならない。しかしながら、光学性能上（例えば収差補正上）、ウェハスケールレンズがメニスカス形状を含まなくてはならない場合、ウェハスケールレンズは、レンズ基板を含むために光軸上の厚みを増大させなくてはならない。そのため、ウェハスケールレンズ、ひいては撮像レンズの長さが増大しやすい。【００１０】
なお、最近では、カメラモジュールは、ＩＣチップ等とともに、ペースト状のハンダの印刷されたプリント基板に取り付けられた後、加熱処理（リフロー処理）されることで、そのプリント基板に実装される。このような実装であれば、カメラモジュールを含む種々装置が低コストで大量に生産されるためである。すると、最近の撮像レンズは、リフロー処理に耐え得る耐熱性も要求される。【００１１】
本発明は、前述の状況を鑑みてなされたものである。そして、本発明の目的は、以下の点を満たす撮像レンズ等を提供することにある。
・より少ないレンズブロック数しか含まないにもかかわらず、回折面等を含まず、像
高に対する光学全長を短縮する。
・良好な収差補正の確保。
・コストダウン。
【課題を解決するための手段】
【００１２】
撮像レンズは、平行平板であるレンズ基板と、レンズ基板の物体側基板面および像側基板面の少なくとも一方の基板面に連なる正パワーまたは負パワーを発揮するレンズと、を有するレンズブロックを、少なくとも１つ以上含む。さらに、撮像レンズは、光量を規制する開口絞りも含む。【００１３】
なお、この撮像レンズにて含まれるレンズブロックは、物体側から像側に向かう順番で、第１〜第４の数字を付される。また、レンズブロックに含まれるレンズ基板も同様に、第１〜第４の数字を付される。さらに、レンズブロックにおけるレンズＬは、レンズ基板ＬＳ（第１レンズ基板ＬＳ１〜第４レンズ基板ＬＳ４）における物体側（o）のレンズＬおよび像側（m）のレンズＬという意味で、レンズＬ[LS1o]、レンズＬ[LS1m]、レンズＬ[LS2o]、レンズＬ[LS2m]、レンズＬ[LS3o]、レンズＬ[LS3m]、レンズＬ[LS4o]、レンズＬ[LS4m]、と表現する。【００１４】
以上のような撮像レンズでは、以下の通りであると望ましい。すなわち、レンズブロックは、レンズ基板とは異なる材質で形成されるレンズを含み、第１レンズブロックが、最も物体側に位置して、正パワーを発揮する。そして、この撮像レンズでは、少なくとも１つのレンズブロックは、レンズ基板の物体側基板面または像側基板面のいずれか一方の基板面にのみレンズを連ねる。【００１５】
また、撮像レンズでは、下記条件式（Ｄ１）が満たされると望ましい。【００１６】
０．６≦ｆ[BK1]／ｆ[all]≦２．０  …  （Ｄ１）
ただし、
ｆ[BK1]  ：第1レンズブロックの焦点距離
ｆ[all]      ：撮像レンズ全体の焦点距離
である。【００１７】
また、撮像レンズにおいて、第１レンズブロックでは、第１レンズ基板が含まれ、かつ、レンズＬ[LS1o]が第１レンズ基板の物体側基板面に連なり、そのレンズＬ[LS1o]の物体側レンズ面は、物体側凸面であると望ましい。さらに、この撮像レンズでは、下記条件式（Ｄ２）が満たされると望ましい。【００１８】
１＜Ｎ[LS1]／Ｎ[L[LS1o]]  …  （Ｄ２）
ただし、
Ｎ[LS1]        ：第１レンズ基板の屈折率
Ｎ[L[LS1o]]   ：レンズＬ[LS1o]の屈折率
である。【００１９】
また、撮像レンズにおいて、第１レンズブロックでは、第１レンズ基板が含まれ、かつ、レンズＬ[LS1o]が第１レンズ基板の物体側基板面に連なり、そのレンズＬ[LS1o]の物体側レンズ面は、物体側凸面であると望ましい。さらに、この撮像レンズでは、下記条件式（Ｄ３）が満たされると望ましい。【００２０】
１＜ν[L[LS1o]]／ν[LS1]  …  （Ｄ３）
ただし、
ν[LS1]        ：第１レンズ基板のアッベ数
ν[L[LS1o]]   ：レンズＬ[LS1o]のアッベ数
である。【００２１】
さらに、この撮像レンズでは、下記条件式（Ｄ４）が満たされると望ましい。【００２２】
０．０３≦ｄ[LS1]／ＴＬ≦０．３３  …  （Ｄ４）
ただし、
ｄ[LS1]  ：第１レンズ基板の光軸上の厚み
ＴＬ     ：撮像レンズにて最も物体側の面から結像面に至るまでの光軸上の長
さ
である。【００２３】
また、撮像レンズでは、レンズ基板の物体側基板面および像側基板面の両基板面にレンズを連ねるレンズブロックが少なくとも１つ含まれており、下記条件式が満たされると望ましい。【００２４】
１０＜｜ν[L[LSo]]−ν[L[LSm]]｜  …  （Ｄ５）
ただし、
ν[L[LSo]]  ：レンズ基板の物体側基板面および像側基板面の両基板面にレ
ンズを連ねるレンズブロックにて、物体側基板面に連なるレン
ズが有するアッベ数
ν[L[LSm]]  ：レンズ基板の物体側基板面および像側基板面の両基板面にレ
ンズを連ねるレンズブロックにて、像側基板面に連なるレンズ
が有するアッベ数
である。【００２５】
また、撮像レンズにおいて、第１レンズブロックでは、第１レンズ基板が含まれ、かつレンズＬ[LS1o]が第１レンズ基板の物体側基板面に連なると望ましい。さらに、この撮像レンズでは、下記条件式（Ｄ６）が満たされると望ましい。【００２６】
０≦ＤＴ[LS1o-ape]／ｄ[LS1]≦１  …  （Ｄ６）
ただし、
ＤＴ[LS1o-ape]  ：第１レンズ基板の物体側基板面から開口絞り面に至るまで
の長さ
ｄ[LS1]             ：第１レンズ基板の光軸上の厚み
である。【００２７】
また、物体側凸面のレンズＬ[LS1o]を含む撮像レンズでは、開口絞りが、遮光性膜であり、第１レンズ基板の物体側基板面または像側基板面に形成されており、下記条件式（Ｄ７）が満たされると望ましい。【００２８】
ｄ[ape]＜２５  …  （Ｄ７）
ただし、
ｄ[ape]  ：開口絞りの光軸方向の厚み［単位；μｍ］
である。【００２９】
なお、開口絞りは、遮光性膜であり、第１レンズ基板の物体側基板面に形成されると望ましい。【００３０】
また、撮像レンズは、以下の通りであると望ましい。すなわち、撮像レンズでは、レンズブロックが第１レンズブロックだけであり、その第１レンズブロックでは、第１レンズ基板が含まれ、かつ、レンズであるレンズＬ[LS1m]のみが第１レンズ基板の像側基板面に連なる。そして、開口絞り、第１レンズ基板、レンズＬ[LS1m]が、この順で物体側から像側に向かって並び、レンズＬ[LS1m]の像側面が、像側凸面である。【００３１】
なお、このようなレンズブロックとしては第１レンズブロックのみを含む撮像レンズにおいて、下記条件式（Ｄ４）が満たされると望ましい。【００３２】
０．０３≦ｄ[LS1]／ＴＬ≦０．３３  …  （Ｄ４）
ただし、
ｄ[LS1]  ：第１レンズ基板の光軸上の厚み
ＴＬ     ：撮像レンズにて最も物体側の面から結像面に至るまでの光軸上の長
さ
である。【００３３】
また、レンズブロックを少なくとも２つ以上含む撮像レンズは、以下の通りであると望ましい。すなわち、第１レンズブロックでは、第１レンズ基板が含まれ、かつ、レンズＬ[LS1o]が第１レンズ基板の物体側基板面に連なり、そのレンズＬ[LS1o]の物体側レンズ面は、物体側凸面である。【００３４】
その上、第２レンズブロックが第１レンズブロックの像側に位置し、その第２レンズブロックでは、第２レンズ基板が含まれ、かつ、レンズＬ[LS2o]が第２レンズ基板の物体側基板面に連なり、そのレンズＬ[LS2o]の物体側レンズ面は、物体側凹面である。【００３５】
なお、このような撮像レンズが、レンズブロックとして第１レンズブロックおよび第２レンズブロックだけを含むと望ましく、さらに、以下の通りであると望ましい。すなわち、第１レンズブロックでは、レンズＬ[LS1m]が第１レンズ基板の像側基板面に連なり、レンズＬ[LS1o]、第１レンズ基板、レンズＬ[LS1m]が、この順で物体側から像側に向けて並ぶ。第２レンズブロックでは、レンズＬ[LS2o]、第２レンズ基板が、この順で物体側から像側に向けて並ぶ。【００３６】
そして、レンズＬ[LS1o]の物体側レンズ面は物体側凸面、レンズＬ[LS1m]の像側レンズ面は像側凸面、レンズＬ[LS2o]の物体側レンズ面は物体側凹面、であると望ましい。【００３７】
また、レンズブロックを少なくとも２つ以上含む撮像レンズは、以下の通りであると望ましい。すなわち、第１レンズブロックでは、レンズ基板である第１レンズ基板が含まれ、かつ、レンズＬ[LS1m]が第１レンズ基板の像側基板面に連なり、レンズＬ[LS1m]の像側レンズ面は、像側凹面である。【００３８】
なお、このような撮像レンズが、レンズブロックとして第１レンズブロックおよび第２レンズブロックだけを含むと望ましく、さらに、以下の通りであると望ましい。すなわち、第１レンズブロックでは、レンズＬ[LS1o]が第１レンズ基板の物体側基板面に連なり、レンズＬ[LS1o]、第１レンズ基板、レンズＬ[LS1m]が、この順で物体側から像側に向けて並ぶ。【００３９】
第２レンズブロックが、第１レンズブロックの像側に位置し、その第２レンズブロックでは、第２レンズ基板が含まれ、かつ、レンズＬ[LS2o]が第２レンズ基板の物体側基板面に連なり、レンズＬ[LS2o]、第２レンズ基板が、この順で物体側から像側に向けて並ぶ。【００４０】
そして、レンズＬ[LS1o]の物体側レンズ面は物体側凸面、レンズＬ[LS1m]の像側レンズ面は像側凹面、レンズＬ[LS2o]の物体側レンズ面は物体側凹面、であると望ましい。【００４１】
また、撮像レンズでは、下記条件式（Ｄ８）が満たされると望ましい。【００４２】
Ａｒ／ＴＬ≦０．５  …  （Ｄ８）
ただし、
Ａｒ      ：撮像レンズにて、隣り合うレンズブロック同士の空気間隔の総和（
ただし、レンズブロックを除くパワーを有さない光学素子の厚みは
、空気換算した後、空気間隔に含む）
ＴＬ      ：撮像レンズにて最も物体側の面から結像面に至るまでの光軸上の長
さ
である。【００４３】
また、レンズブロックは３つだけである撮像レンズが、以下の通りであると望ましい。すなわち、第１レンズブロックでは、レンズＬ[LS1o]、第１レンズ基板、レンズＬ[LS1m]が、この順で物体側から像側に向けて並ぶ。【００４４】
第２レンズブロックが、第１レンズブロックの像側に位置し、その第２レンズブロックでは、第２レンズ基板が含まれ、かつ、レンズＬ[LS2o]が第２レンズ基板の物体側基板面に連なる。そして、レンズＬ[LS2o]、第２レンズ基板が、この順で物体側から像側に向けて並ぶ。【００４５】
第３レンズブロックが、第２レンズブロックの像側に位置し、その第３レンズブロックでは、第３レンズ基板が含まれ、かつ、レンズＬ[LS3o]が第３レンズ基板の物体側基板面に連なるとともに、レンズであるレンズＬ[LS3m]が第３レンズ基板の像側基板面に連なる。そして、レンズＬ[LS3o]、第３レンズ基板、レンズＬ[LS3m]が、この順で物体側から像側に向けて並ぶ。【００４６】
そして、レンズＬ[LS1o]の物体側レンズ面は物体側凸面であり、レンズＬ[LS1m]の像側レンズ面は像側凹面である。さらに、レンズＬ[LS2o]の物体側レンズ面は物体側凹面である。さらに、レンズＬ[LS3o]の物体側レンズ面およびレンズＬ[LS3m]の像側レンズ面が非球面である。【００４７】
また、レンズブロックは４つだけである撮像レンズが、以下の通りであると望ましい。すなわち、第１レンズブロックでは、レンズＬ[LS1o]、第１レンズ基板、レンズＬ[LS1m]が、この順で物体側から像側に向けて並ぶ。【００４８】
第２レンズブロックが、第１レンズブロックの像側に位置し、その第２レンズブロックでは、第２レンズ基板が含まれ、かつ、レンズＬ[LS2o]が第２レンズ基板の物体側基板面に連なるとともに、レンズＬ[LS2m]が第２レンズ基板の像側基板面に連なる。そして、レンズＬ[LS2o]、第２レンズ基板、レンズＬ[LS2m]が、この順で物体側から像側に向けて並ぶ。【００４９】
第３レンズブロックが、第２レンズブロックの像側に位置し、その第３レンズブロックでは、第３レンズ基板が含まれ、かつ、レンズＬ[LS3m]が第３レンズ基板の像側基板面に連なる。そして、第３レンズ基板、レンズＬ[LS3m]が、この順で物体側から像側に向けて並ぶ。【００５０】
第４レンズブロックが、第３レンズブロックの像側に位置し、その第４レンズブロックでは、第４レンズ基板が含まれ、かつ、レンズＬ[LS4o]が第４レンズ基板の物体側基板面に連なるとともに、レンズＬ[LS4m]が第４レンズ基板の像側基板面に連なる。そして、レンズＬ[LS4o]、第４レンズ基板、レンズＬ[LS4m]が、この順で物体側から像側に向けて並ぶ。【００５１】
そして、レンズＬ[LS1o]の物体側レンズ面は物体側凸面であり、レンズＬ[LS1m]の像側レンズ面は像側凹面である。さらに、レンズＬ[LS2o]の物体側レンズ面は物体側凹面である。さらに、レンズＬ[LS3m]の像側レンズ面は非球面である。さらに、レンズＬ[LS4o]の物体側レンズ面およびレンズＬ[LS4m]の像側レンズ面が非球面である。【００５２】
また、レンズブロックが３つだけである撮像レンズおよびレンズブロックが４だけである撮像レンズでは、下記記条件式（Ｄ９）および（Ｄ１０）が満たされると望ましい。
ＴＬ／Ｙ’≦２．０６    …  （Ｄ９）
Ａｒ／ＴＬ≦０．６      …  （Ｄ１０）
ただし、
ＴＬ      ：撮像レンズにて最も物体側の面から結像面に至るまでの光軸上の長
さ
Ｙ’      ：最大像高
Ａｒ      ：撮像レンズにて、隣り合うレンズブロック同士の空気間隔の総和（
ただし、レンズブロックを除くパワーを有さない光学素子の厚みは
、空気換算した後、空気間隔に含む）
である。【００５３】
また、撮像レンズでは、レンズ基板がガラスで形成されると望ましい。【００５４】
また、撮像レンズでは、レンズが樹脂で形成されると望ましい。【００５５】
なお、レンズとなる樹脂には、３０ｎｍ以下の粒径である無機微粒子が分散すると望ましい。【００５６】
また、樹脂は、硬化型樹脂であると望ましい。【００５７】
なお、以上のような撮像レンズと、撮像レンズを通過する光を撮像する撮像素子と、を含む撮像装置も本発明といえる。また、この撮像装置を含む携帯端末も本発明といえる。【００５８】
また、以上のような撮像レンズの製造方法にあって、複数のレンズブロックを並べて含むユニットを、レンズブロックユニットとすると、以下の工程が含まれると望ましい。すなわち、レンズブロックの周縁の少なくとも一部にスペーサを並べ、複数のレンズブロックユニットを、スペーサを介在させてつなげる連結工程と、つながるレンズブロックユニットを、スペーサに沿って切断する切断工程と、を含む撮像レンズの製造方法が望ましい。
【発明の効果】
【００５９】
本発明によると、撮像レンズでは、少なくとも１つ以上のレンズブロックが含まれ、最も物体側に位置するレンズブロックは正パワーを発揮する。そして、その撮像レンズにおける少なくとも１つのレンズブロックでは、そのレンズブロックにおけるレンズ基板の物体側基板面および像側基板面の一方のみにしかレンズが連ならない。そのため、レンズ偏心に起因する収差が起きにくい（要は、撮像レンズが、良好な収差補正機能を有する）。したがって、撮像レンズの製造も簡易になり、その結果、低コストでその撮像レンズは製造される。【００６０】
その上、レンズブロックに含まれるレンズの数が少ないと、それに起因してレンズ用の金型が少なくてすみ、コストダウンの効果が大きい。また、レンズブロック同士が調芯される場合、レンズの数が１つでも少ないと調芯時間が大幅に短縮される。
【図面の簡単な説明】
【００６１】
【図１】は、実施例１の撮像レンズの光学断面図である。
【図２】は、実施例２の撮像レンズの光学断面図である。
【図３】は、実施例３の撮像レンズの光学断面図である。
【図４】は、実施例４の撮像レンズの光学断面図である。
【図５】は、実施例５の撮像レンズの光学断面図である。
【図６Ａ】は、実施例１の撮像レンズの球面収差図である。
【図６Ｂ】は、実施例１の撮像レンズの非点収差図である。
【図６Ｃ】は、実施例１の撮像レンズの歪曲収差図である。
【図７Ａ】は、実施例２の撮像レンズの球面収差図である。
【図７Ｂ】は、実施例２の撮像レンズの非点収差図である。
【図７Ｃ】は、実施例２の撮像レンズの歪曲収差図である。
【図８Ａ】は、実施例３の撮像レンズの球面収差図である。
【図８Ｂ】は、実施例３の撮像レンズの非点収差図である。
【図８Ｃ】は、実施例３の撮像レンズの歪曲収差図である。
【図９Ａ】は、実施例４の撮像レンズの球面収差図である。
【図９Ｂ】は、実施例４の撮像レンズの非点収差図である。
【図９Ｃ】は、実施例４の撮像レンズの歪曲収差図である。
【図１０Ａ】は、実施例５の撮像レンズの球面収差図である。
【図１０Ｂ】は、実施例５の撮像レンズの非点収差図である。
【図１０Ｃ】は、実施例５の撮像レンズの歪曲収差図である。
【図１１】は、携帯端末のブロック図である。
【図１２Ａ】は、レンズブロックユニットの断面図である。
【図１２Ｂ】は、撮像レンズの製造工程を示す断面図である。
【図１２Ｃ】は、撮像レンズの断面図である。
【図１３】は、説明に使用するレンズブロックの断面図である。
【図１４】は、図１３とは異なる説明に使用するレンズブロックの断面図である。
【符号の説明】
【００６２】
ＢＫ    レンズブロック
Ｌ      レンズ
ＬＳ    レンズ基板
ａｐｅ  開口絞り
ｓ      レンズ面・基板面
＊      非球面
ＰＴ    平行平板
ＬＮ    撮像レンズ
ＳＲ    撮像素子
ＩＭ    像面（光学像）
ＳＳ    受光面
ＡＸ    光軸
ＬＵ    撮像装置
ＣＵ    携帯端末
１      信号処理部
２      制御部
３      メモリ
４      操作部
５      表示部
【発明を実施するための最良の形態】
【００６３】
［実施の形態１］
［■撮像装置および携帯端末について］
通常、撮像レンズは、画像入力機能付きデジタル機器（例えば携帯端末）への使用に適する。なぜなら、撮像レンズと撮像素子等とを組み合わせて含むデジタル機器は、被写体の映像を光学的に取り込んで電気的な信号として出力する撮像装置になるためである。【００６４】
撮像装置は、被写体の静止画および動画を撮影するカメラの主たる構成要素（光学装置）であり、例えば、物体（すなわち被写体）側から順に、物体の光学像を形成する撮像レンズと、その撮像レンズにより形成された光学像を電気的な信号に変換する撮像素子と、を含む。【００６５】
カメラの例としては、デジタルカメラ、ビデオカメラ、監視カメラ、車載カメラ、およびテレビ電話用カメラが挙げられる。また、カメラは、パーソナルコンピュータ、携帯端末（例えば、携帯電話、モバイルコンピュータ等のコンパクトで携帯可能な情報機器端末）、これらの周辺機器（スキャナー、プリンター等）、および、その他のデジタル機器等に内蔵または外付けされてもよい。【００６６】
これらの例からわかるように、撮像装置を搭載することでカメラが構成されるだけでなく、撮像装置を搭載することでカメラ機能を有する各種機器が構成される。例えば、カメラ付き携帯電話等の画像入力機能付きデジタル機器が構成される。【００６７】
図１１は、画像入力機能付きデジタル機器の一例である携帯端末ＣＵのブロック図である。この図での携帯端末ＣＵに搭載されている撮像装置ＬＵは、撮像レンズＬＮ、平行平面板ＰＴ、および撮像素子ＳＲを含む。【００６８】
撮像レンズＬＮは、物体（すなわち被写体）側から順に、物体の光学像(像面)ＩＭを形成する。詳説すると、撮像レンズＬＮは、例えばレンズブロックＢＫ（詳細は後述）を含み、撮像素子ＳＲの受光面ＳＳ上に光学像ＩＭを形成する。【００６９】
なお、撮像レンズＬＮで形成されるべき光学像ＩＭは、例えば、撮像素子ＳＲの画素ピッチにより決定される所定の遮断周波数特性を有する光学的ローパスフィルター(図１１での平行平面板ＰＴ)を通過する。この通過により、電気的な信号に変換される場合に発生するいわゆる折り返しノイズが最小化されるように、空間周波数特性が調整される。【００７０】
そして、この空間周波数特性の調整により、色モアレの発生が抑えられる。ただし、解像限界周波数周辺の性能が抑えられれば、光学的ローパスフィルターを用いなくても、ノイズが発生しない。また、ノイズのあまり目立たない表示系（例えば、携帯電話の液晶画面等）を用いて、ユーザーが撮影や鑑賞を行う場合、光学的ローパスフィルターは不要である。【００７１】
平行平面板ＰＴは、例えば、必要に応じて配置される光学的ローパスフィルター、赤外カットフィルタ等の光学フィルタである（なお、平行平板ＰＴは、撮像素子ＳＲのカバーガラス等に相当することもある）。【００７２】
撮像素子ＳＲは、撮像レンズＬＮにより受光面ＳＳ上に形成された光学像ＩＭを電気的な信号に変換する。例えば、複数の画素を有するＣＣＤ(Charge  Coupled  Device)型イメージセンサおよびＣＭＯＳ(Complementary  Metal-Oxide  Semiconductor)型イメージセンサが撮像素子（固体撮像素子）として挙げられる。なお、撮像レンズＬＮは、撮像素子ＳＲの受光面ＳＳ上に被写体の光学像ＩＭを形成させるように位置する。そのため、撮像レンズＬＮによって形成された光学像ＩＭは、撮像素子ＳＲによって電気的な信号に効率よく変換される。【００７３】
なお、このような撮像装置ＬＵが画像入力機能付きの携帯端末ＣＵに搭載される場合、通常、携帯端末ＣＵのボディ内部に撮像装置ＬＵが配置される。ただし、携帯端末ＣＵがカメラ機能を発揮する場合には、撮像装置ＬＵが必要に応じた形態になる。例えば、ユニット化した撮像装置ＬＵが、携帯端末ＣＵの本体に対して着脱自在または回動自在になっていてもよい。【００７４】
ところで、携帯端末ＣＵは、撮像装置ＬＵの他に、信号処理部１、制御部２、メモリ３、操作部４、および表示部５を含む。【００７５】
信号処理部１は、撮像素子ＳＲで生成された信号に対して、例えば、所定のデジタル画像処理および画像圧縮処理を必要に応じて施す。そして、処理の施された信号は、デジタル映像信号としてメモリ３（半導体メモリ、光ディスク等）に記録されたり、ケーブルを介して赤外線信号に変換され、他の機器に伝送されたりする。【００７６】
制御部２は、マイクロコンピュータであり、撮影機能、画像再生機能等の機能制御、すなわち、フォーカシングのためのレンズ移動機構の制御等を集中的に行う。例えば、制御部２は、被写体の静止画撮影および動画撮影のうちの少なくとも一方を行うように、撮像装置ＬＵを制御する。【００７７】
メモリ３は、例えば、撮像素子ＳＲで生成されるとともに信号処理部１にて処理された信号を記憶する。【００７８】
操作部４は、操作ボタン（例えばレリーズボタン）、操作ダイヤル（例えば撮影モードダイヤル）等の操作部材を含む部分であり、操作者の操作入力した情報を制御部２に伝達する。【００７９】
表示部５は、液晶モニター等のディスプレイを含む部分であり、撮像素子ＳＲによって変換された画像信号またはメモリ３に記録されている画像情報を用いて画像表示を行う。【００８０】
［■撮像レンズについて］
ここで、撮像レンズＬＮについて詳説する。撮像レンズＬＮは、複数の光学要素を連ねたレンズブロックＢＫを含む（後述の図１等参照）。そして、このレンズブロック（接合型複合レンズ）ＢＫは、例えば、レンズ基板ＬＳにて対向する２面（物体側基板面および像側基板面）のうちの少なくとも一方の基板面にレンズＬを連ねる（なお、このレンズＬは正パワーまたは負パワーを発揮する）。【００８１】
なお、“連なる”とは、レンズ基板ＬＳの基板面とレンズＬとが直接接着状態にあること、または、レンズ基板ＬＳの基板面とレンズＬとが別部材を介しながら間接接着状態にあることを意味する。【００８２】
［■撮像レンズの製造方法について］
ところで、図１２Ａの断面図に示すような、複数のレンズブロックＢＫを並べて含むレンズブロックユニットＵＴは、例えば、多数のレンズＬを同時に作製できるとともに低コストであるリフロー法またはレプリカ法で製造される（なお、レンズブロックユニットＵＴに含まれるレンズブロックＢＫの数は単数であっても複数であってもよい）。【００８３】
リフロー法は、ＣＶＤ(Chemical  Vapor  Deposition)法によって、ガラス基板に、低軟化点ガラスを成膜させる。そして、この低軟化点ガラス成膜は、リソグラフィーおよびドライエッチングによって微細加工される。さらに、加熱されることで、低軟化点ガラス成膜は溶融してレンズ状になる。つまり、このリフロー法では、ガラス基板上に、多数のレンズが同時に作製される。【００８４】
また、レプリカ法は、レンズウェーハ上に、金型を用いて硬化性の樹脂をレンズ形状にして転写する。これにより、このレプリカ法では、レンズウェーハ上に、多数のレンズが同時に作製される。【００８５】
そして、これらのような方法によって製造されたレンズブロックユニットＵＴから、撮像レンズＬＮが製造される。この撮像レンズの製造工程の一例を、図１２Ｂの概略断面図で示す。【００８６】
第１のレンズブロックユニットＵＴ１は、平行平板である第１レンズ基板ＬＳ１と、その一方の平面に接着された複数の第１レンズＬ１と、他方の平面に接着された複数の第２レンズＬ２と、で構成される。【００８７】
第２のレンズブロックユニットＵＴ２は、平行平板である第２レンズ基板ＬＳ２と、その一方の平面に接着された複数の第３レンズＬ３と、他方の平面に接着された複数の第４レンズＬ４と、で構成される。【００８８】
格子状のスペーサ部材（スペーサ）Ｂ１は、第１のレンズブロックユニットＵＴ１と第２のレンズブロックユニットＵＴ２との間（具体的には、第１レンズ基板ＬＳ１と第２レンズ基板ＬＳ２との間）に介在し、両レンズブロックユニットＵＴ１・ＵＴ２の間隔を一定に保つ。さらに、スペーサ部材Ｂ１は、基板２と第２のレンズブロックユニット２との間に介在し、基板２とレンズブロックユニットＵＴ２との間隔を一定に保つ（つまり、スペーサ部材Ｂ１は２段格子といえる）。そして、スペーサ部材Ｂ１の格子の穴の部分に、各レンズＬが位置する。【００８９】
なお、基板Ｂ２は、マイクロレンズアレイを含むウェーハスケールのセンサーチップサイズパッケージ、あるいはセンサーカバーガラスまたはＩＲカットフィルタ等の平行平面板（図１１での平行平面板ＰＴに相当するもの）である。【００９０】
そして、スペーサ部材Ｂ１が、第１のレンズブロックユニットＵＴ１と第１のレンズブロックユニットＵＴ２との間、および、第２のレンズユニットＵＴ２と第２基板Ｂ２との間に介在することで、レンズ基板ＬＳ同士（第１レンズ基板ＬＳ１と第２レンズ基板ＬＳ２と）が、封止され一体化する。【００９１】
そして、一体化した第１レンズ基板ＬＳ１、第２レンズ基板ＬＳ２、スペーサ部材Ｂ１、および基板２が、スペーサ部材Ｂ１の格子枠（破線Ｑの位置）に沿って切断されると、図１２Ｃに示すように、２枚玉構成の撮像レンズＬＮが複数得られる。【００９２】
このように、複数のレンズブロックＢＫ（第１レンズブロックＢＫ１および第２レンズブロックＢＫ２）の組み込まれた部材が切り離されることで、撮像レンズＬＮが製造されると、撮像レンズＬＮ毎のレンズ間隔の調整および組み立てが不要になる。そのため、撮像レンズＬＮの大量生産が可能となる。【００９３】
しかも、スペーサ部材Ｂ１が格子形状である。そのため、このスペーサ部材Ｂ１が、複数のレンズブロックＢＫの組み込まれた部材から撮像レンズＬＮを切り離す場合の印にもなる。したがって、複数のレンズブロックＢＫの組み込まれた部材から撮像レンズＬＮが簡単に切り離され、手間がかからない。その結果、撮像レンズが安価に大量生産できる。【００９４】
以上を踏まえると、撮像レンズＬＮの製造方法は、レンズブロックＢＫの周縁の少なくとも一部にスペーサ部材Ｂ１を並べ、複数のレンズブロックユニットＵＴを、スペーサ部材Ｂ１を介在させてつなげる連結工程と、つながるレンズブロックユニットＵＴを、スペーサ部材Ｂ１に沿って切断する切断工程と、を含む。そして、このような製造方法は、安価なレンズ系の量産に向いている。【００９５】
［■撮像レンズに関するレンズ構成ついて］
次に、全実施例（ＥＸ）である実施例１〜５の撮像レンズＬＮに関するレンズ構成について、図１〜図５の光学断面図を用いて説明する。【００９６】
光学断面等における部材符号については、以下のようになる。
・Ｌｉ    ：レンズＬ
・ＬＳｉ  ：レンズ基板ＬＳ（なお、全実施例のレンズ基板ＬＳは平行平板である）
・ＢＫｉ  ：レンズブロックＢＫ
・ＰＴｉ  ：平行平板（なお、レンズＬを連ねない平行平板に限ってＰＴｉを付す）
・ｓｉ    ：レンズ面および基板面
・ｉ      ：“Ｌｉ”等に付される数字であり、各部材での物体側から像側に至るまで
の順番。
・＊      ：非球面（なお、レンズ基板ＬＳに隣接せず、空気に接するレンズ面は非球
面である）
・ａｐｅ  ：開口絞り
・ＡＸ    ：光軸【００９７】
なお、物体側から像側に並ぶ順番に合致した数字を付されたレンズＬを別表現する場合がある。具体的には、レンズ基板ＬＳ（第１レンズ基板ＬＳ１〜第４レンズ基板ＬＳ４）における物体側（o）のレンズＬおよび像側（m）のレンズＬという意味で、レンズＬ[LS1o]、レンズＬ[LS1m]、レンズＬ[LS2o]、レンズＬ[LS2m]、レンズＬ[LS3o]、レンズＬ[LS3m]、レンズＬ[LS4o]、レンズＬ[LS4m]、と表現する場合がある。【００９８】
［●実  施  例  １］
実施例１の撮像レンズＬＮでは、物体側から像側に向かって並ぶ３つのレンズブロックＢＫ１〜ＢＫ３を含むとともに、開口絞りａｐｅを含む。【００９９】
最も物体側に位置する第１レンズブロックＢＫ１は、第１レンズ基板ＬＳ１を含む。そして、この第１レンズ基板ＬＳ１の物体側基板面には第１レンズＬ１（レンズＬ[LS1o]）が連なり、第１レンズ基板ＬＳ１の像側基板面には第２レンズＬ２(レンズＬ[LS1m]）が連なる。詳説すると、第１レンズＬ１および第２レンズＬ２は、以下のようになる。なお、開口絞りａｐｅは、第１レンズＬ１と第１レンズ基板ＬＳ１との境界面に形成される。【０１００】
・第１レンズＬ１  ：物体側凸の平凸レンズ（なお、物体側レンズ面は非球面）
・第２レンズＬ２  ：像側凹の平凹レンズ（なお、像側レンズ面は非球面）【０１０１】
第２レンズブロックＢＫ２は、第１レンズブロックＢＫ１の像側に位置し、第２レンズ基板ＬＳ２を含む。そして、この第２レンズ基板ＬＳ２の物体側基板面にのみ、レンズＬ｛第３レンズＬ３（レンズＬ[LS2o]）｝が連なる。詳説すると、第３レンズＬ３は、以下のようになる。【０１０２】
・第３レンズＬ３  ：物体側凹の平凹レンズ（なお、物体側レンズ面は非球面）【０１０３】
第３レンズブロックＢＫ２は、第２レンズブロックＢＫ２の像側に位置し、第３レンズ基板ＬＳ３を含む。そして、この第３レンズ基板ＬＳ３の物体側基板面には第４レンズＬ４（レンズＬ[LS3o]）が連なり、第３レンズ基板ＬＳ３の像側基板面には第５レンズＬ５(レンズＬ[LS3m]）が連なる。詳説すると、第４レンズＬ４および第５レンズＬ５は、以下のようになる。【０１０４】
・第４レンズＬ４  ：物体側凸の平凸レンズ
（なお、この第４レンズＬ４は、物体側レンズ面を、そのレ
ンズ面にて光軸に交わる部分を凸状にするとともに最大像
高の主光線に交わる部分を凹状にした非球面とする）
・第５レンズＬ５  ：像側凹の平凹レンズ（なお、像側レンズ面は非球面）【０１０５】
［●実  施  例  ２］
実施例２の撮像レンズＬＮは、第１レンズブロックＢＫ１、第２レンズブロックＢＫ２、第３レンズブロックＢＫ３、および開口絞りａｐｅを含む。特に、この撮像レンズＬＮは、実施例１の撮像レンズＬＮとは異なり、レンズ基板片ＬＳＰ・ＬＳＰ同士を連ねるレンズ基板ＬＳを含む。【０１０６】
第１レンズブロックＢＫ１は、第１レンズ基板ＬＳ１含む。そして、この第１レンズ基板ＬＳ１は、物体側に位置するレンズ基板片ＬＳＰ１ｏと像側に位置するレンズ基板片ＬＳＰ１ｍとのつながり（接合等）によって形成される。なお、このような第１レンズ基板ＬＳ１であっても、物体側基板面および像側基板面の両基板面（レンズ基板片ＬＳＰ１ｏの物体側基板面およびレンズ基板片ＬＳＰ１ｍの像側基板面）は平面である。したがって、第１レンズ基板ＬＳ１は平行平板である。【０１０７】
また、第１レンズ基板ＬＳ１の物体側基板面には第１レンズＬ１（レンズＬ[LS1o]）が連なり、第１レンズ基板ＬＳ１の像側基板面には第２レンズＬ２（レンズＬ[LS1m]）が連なる。詳説すると、第１レンズＬ１および第２レンズＬ２は、以下のようになる。なお、開口絞りａｐｅは、第１レンズ基板ＬＳ１におけるレンズ基板片ＬＳＰ１ｏとレンズ基板片ＬＳＰ１ｍとの境界面に形成される。【０１０８】
・第１レンズＬ１  ：物体側凸の平凸レンズ（なお、物体側レンズ面は非球面）
・第２レンズＬ２  ：像側凹の平凹レンズ（なお、像側レンズ面は非球面）【０１０９】
第２レンズブロックＢＫ２では、第２レンズ基板ＬＳ２の物体側基板面に連なる第３レンズＬ３（レンズＬ[LS2o]）および像側基板面に連なる第４レンズＬ４（レンズＬ[LS2m]）は、以下のようになる。【０１１０】
・第３レンズＬ３  ：物体側凹の平凹レンズ（なお、物体側レンズ面は非球面）
・第４レンズＬ４  ：像側凸の平凸レンズ（なお、像側レンズ面は非球面）  【０１１１】
第３レンズブロックＢＫ３では、第３レンズ基板ＬＳ３の物体側基板面にのみレンズＬ｛第５レンズＬ５（レンズＬ[LS3o]）｝を連ねる。詳説すると、第５レンズＬ５は以下のようになる。【０１１２】
・第５レンズＬ５  ：物体側凹の平凹レンズ（なお、物体側レンズ面は非球面）【０１１３】
［●実  施  例  ３］
実施例３の撮像レンズＬＮでは、第１レンズブロックＢＫ１〜第３レンズブロックＢＫ３に加えて、第４レンズブロックＢＫ４を含む。そして、この第４レンズブロックＢＫ４は、第３レンズブロックＢＫ３の像側に位置する。また、この撮像レンズＬＮは開口絞りａｐｅを含む。【０１１４】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。なお、開口絞りａｐｅは、第１レンズＬ１と第１レンズ基板ＬＳ１との境界面に形成される。【０１１５】
・第１レンズＬ１  ：物体側凸の平凸レンズ（なお、物体側レンズ面は非球面）
・第２レンズＬ２  ：像側凹の平凹レンズ（なお、像側レンズ面は非球面）【０１１６】
第２レンズブロックＢＫ２では、第２レンズ基板ＬＳ２の物体側基板面に連なる第３レンズＬ３（レンズＬ[LS2o]）および像側基板面に連なる第４レンズＬ４（レンズＬ[LS2m]）は、以下のようになる。【０１１７】
・第３レンズＬ３  ：物体側凹の平凹レンズ（なお、物体側レンズ面は非球面）
・第４レンズＬ４  ：像側凸の平凸レンズ
（なお、この第４レンズＬ４は、像側レンズ面を、そのレン
ズ面での面頂点を凸状とするとともに最大像高の主光線と
交わる部分を凹状とする非球面にする）【０１１８】
第３レンズブロックＢＫ３は、第３レンズ基板ＬＳ３を含み、その第３レンズ基板ＬＳ３の像側基板面にのみレンズＬ｛第５レンズＬ５（レンズＬ[LS3m]）｝を連ねる。詳説すると、第５レンズＬ５は以下のようになる。
・第５レンズＬ５  ：像側凸の平凸レンズ【０１１９】
第４レンズブロックＢＫ４は、第４レンズ基板ＬＳ４を含む。そして、この第４レンズ基板ＬＳ４の物体側基板面には第６レンズＬ６（レンズＬ[LS4o]）が連なり、第４レンズ基板ＬＳ４の像側基板面には第７レンズＬ７（レンズＬ[LS4m]）が連なる。詳説すると、第６レンズＬ６および第７レンズＬ７は、以下のようになる。【０１２０】
・第６レンズＬ６  ：物体側凹の平凹レンズ
（なお、この第６レンズＬ６は、物体側レンズ面を、そのレ
ンズ面での面頂点を凹状とするとともに最大像高の主光線
と交わる部分を凸状とする非球面にする）
・第７レンズＬ７  ：像側凹の平凹レンズ（なお、像側レンズ面は非球面）
（なお、この第７レンズ７は、像側レンズ面を、そのレンズ
面での面頂点を凹状とするとともに最大像高の主光線に交
わる部分を凸状とする非球面にする）【０１２１】
［●実  施  例  ４］
実施例４の撮像レンズＬＮは、第１レンズブロックＢＫ１および第２レンズブロックＢＫ２を含み、その第２レンズブロックＢＫ２の像側に平行平板ＰＴ１を含む（もちろん、開口絞りａｐｅも含まれる）。すなわち、この撮像レンズＬＮは、レンズブロックＢＫ（パワーを有する光学素子）としては第１レンズブロックＢＫ１および第２レンズブロックＢＫ２の２つを含む。また、開口絞りａｐｅは、第１レンズブロックＢＫ１の物体側に位置する（なお、開口絞りａｐｅにも面符号ｓ１が付される）。【０１２２】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。【０１２３】
・第１レンズＬ１  ：物体側凸の平凸レンズ（なお、物体側レンズ面は非球面）
・第２レンズＬ２  ：像側凹の平凹レンズ（なお、像側レンズ面は非球面）【０１２４】
第２レンズブロックＢＫ２は、第２レンズ基板ＬＳ２を含み、その第２レンズ基板ＬＳ２の物体側基板面にのみレンズＬ｛第３レンズＬ３（レンズＬ[LS2o]）｝を連ねる。詳説すると、第３レンズＬ３は以下のようになる。【０１２５】
・第３レンズＬ３  ：物体側凹の平凹レンズ（なお、物体側レンズ面は非球面）【０１２６】
［●実  施  例  ５］
実施例５の撮像レンズＬＮは、第１レンズブロックＢＫ１と、その第１レンズブロックＢＫ１の像側に位置する平行平板ＰＴ１とを含む（もちろん、開口絞りａｐｅも含まれる）。【０１２７】
ただし、第１レンズブロックＢＫ１は、第１レンズ基板ＬＳ１を含み、その第１レンズ基板ＬＳ１の像側基板面にのみレンズＬ｛第１レンズＬ１（レンズＬ[LS1m]）｝を連ねる。詳説すると、第１レンズＬ１は以下のようになる。なお、開口絞りａｐｅは、第１レンズ基板ＬＳ１の物体側基板面に形成される。【０１２８】
・第１レンズＬ１  ：像側凸の平凸レンズ（なお、像側レンズ面は非球面）【０１２９】
［■撮像レンズに関するレンズのデータついて］
次に、実施例（ＥＸ）１〜５の撮像レンズＬＮの撮像レンズＬＮにおける各種データ、
コンストラクションデータ、および非球面データを表に示す。【０１３０】
なお、各種データにおける符号については、以下のようになる。
・ｆ      ：焦点距離［単位；ｍｍ］
・Ｆｎｏ  ：Ｆナンバー
・ＢＦ    ：バックフォーカス（ただし、空気換算長。また、撮像レンズＬＮの全長で
ある光学全長に含まれるバックフォーカスも同様である)。
・Ｙ’    ：像高［単位；ｍｍ］（ただし、歪曲無しでの値）
・ω      ：半画角［単位；°］（ただし、画角は歪曲込みの値）
・ＴＬ    ：撮像レンズＬＮの全長［単位；ｍｍ］【０１３１】
ただし、レンズ基板ＬＳの物体側基板面に連なるレンズＬの焦点距離は、そのレンズＬの物体側が空気で満たされる一方、像側がレンズ基板ＬＳの媒質で満たされるという状態のもとで求められる。また、レンズ基板ＬＳの像側基板面に連なるレンズの焦点距離は、そのレンズＬの物体側がレンズ基板ＬＳの媒質で満たされる一方、像側が空気で満たされるという状態のもとで求められる。【０１３２】
また、接合されていないレンズＬの物体側レンズ面の焦点距離は、そのレンズＬの物体側が空気で満たされる一方、像側がレンズ基板ＬＳの媒質で満たされるという状態のもとで求められる。もちろん、接合されていないレンズＬの像側レンズ面の焦点距離は、そのレンズＬの物体側がレンズ基板ＬＳの媒質で満たされる一方、像側が空気で満たされるという状態のもとで求められる。【０１３３】
コンストラクションデータにおける符号については、以下のようになる。
・ｓｉ    ：数字は物体側から像側に向かうレンズ面および基板面の順番
・ｉ      ：“ｓｉ”等に付される数字であり、物体側から像側に至るまでの順番。
・＊      ：非球面
・ａｐｅ  ：開口絞り
・ｒ      ：レンズ面または基板面の曲率半径［単位；ｍｍ］
・ｄ      ：軸上面間隔［単位；ｍｍ］
・Ｎｄ    ：ｄ線（波長５８７．５６ｎｍ）に対して媒質が有する屈折率
・νｄ    ：ｄ線に対して媒質が有するアッベ数【０１３４】
非球面データは、非球面における面頂点を原点とするローカルな直交座標系（x，y，z）を用いた以下の式（ＡＳ）で定義される。そして、以下のKおよびA〜Iが、面（ｓｉ）毎に示される（ただし、表記のないA〜Iはゼロである）。なお、すべてのデータに関して、“Ｅ−ｎ”＝“×１０−ｎ”である。【０１３５】
z＝（c・ρ２）/[1+√(1-(1+K)・c・ρ２)] ＋A・ρ４＋B・ρ６＋C・ρ８
＋D・ρ１０＋E・ρ１２＋F・ρ１４＋G・ρ１６＋H・ρ１８＋I・ρ２０    …  （ＡＳ）
ただし、
ρ    ：z軸(光軸ＡＸ)に対して垂直な方向の高さ(ρ２=ｘ２+ｙ２)
z     ：高さρの位置での光軸ＡＸ方向のサグ量(面頂点基準)
c     ：面頂点での曲率(曲率半径ｒの逆数)
K     ：円錐定数
A〜I ：4次，6次，8次，10次，12次，14次，16次，18次，20次の非球面係数
である。【０１３６】
［●実  施  例  １］
【表１】
2008102776.tif 000003
【０１３７】
【表２】
2008102776.tif 000004
【０１３８】
［●実  施  例  ２］
【表３】
2008102776.tif 000005
【０１３９】
【表４】
2008102776.tif 000006
【０１４０】
［●実  施  例  ３］
【表５】
2008102776.tif 000007
【０１４１】
【表６】
2008102776.tif 000008
【０１４２】
［●実  施  例  ４］
【表７】
2008102776.tif 000009
【０１４３】
【表８】
2008102776.tif 000010
【０１４４】
［●実  施  例  ５］
【表９】
2008102776.tif 000011
【０１４５】
【表１０】
2008102776.tif 000012
【０１４６】
［■撮像レンズに関する収差ついて］
実施例（ＥＸ）１〜５の撮像レンズＬＮに関する収差は、図６Ａ〜図１０Ｃに示される。収差図では、球面収差（LONGITUDINAL  SPHERICAL  ABER.）、非点収差（ASTIGMATIC  FIELD  CURVES）、および歪曲収差（DISTORTION）が示される。【０１４７】
球面収差図は、ｄ線（波長５８７．５６ｎｍ)に対する球面収差量、Ｃ線（波長６５６．２８ｎｍ）に対する球面収差量、ｇ線（波長４３５．８４ｎｍ）に対する球面収差量を、それぞれ近軸像面からの光軸ＡＸ方向のズレ量［単位；ｍｍ］で示す。また、球面収差図における縦軸は、瞳への入射高さをその最大高さで規格化した値（すなわち、相対瞳高さ）を示す。なお、ｄ線、ｃ線、ｇ線を示す線種は各図を参照するものとする。【０１４８】
非点収差図は、ｄ線に対するタンジェンシャル像面、および、ｄ線に対するサジタル像面を、近軸像面からの光軸ＡＸ方向のズレ量［単位；ｍｍ］で示す。なお、“Ｔ”と付した線がタンジェンシャル像面に対応し、“Ｓ”と付した線がサジタル像面に対応している。また、非点収差図における縦軸は像高(ＩＭＧ ＨＴ)である［単位；ｍｍ］。【０１４９】
歪曲収差図は、横軸がｄ線に対する歪曲［単位；％］を示し、縦軸が像高［単位；ｍｍ］を示す。なお、像高は結像面における最大像高Ｙ’(撮像素子ＳＲの受光面ＳＳの対角長の半分)に相当する。【０１５０】
［■撮像レンズの詳細について］
以上の撮像レンズＬＮの詳細は以下の通りである。【０１５１】
撮像レンズＬＮは、レンズブロック（ウェハスケールレンズ）ＢＫを含む。そして、このレンズブロックＢＫは、前述した通り、安価に大量生産される。この生産にて、材料の選択肢を増やすべく、例えば、加工しやすい材料または安価な材料を選択可能にすべく（簡易かつ低コストな撮像レンズＬＮを製造すべく）、レンズブロックＢＫは、材質を異ならせたレンズＬとレンズ基板ＬＳとを含む。【０１５２】
さらに、コンパクト化、高性能化（例えば高い収差補正機能）、および低コスト化等の種々のバランスを考慮すると、撮像レンズＬＮは、１、２、３、または４つのレンズブロックＢＫを含む（撮像レンズＬＮは、少なくとも１つのレンズブロックＢＫ１を含む）。特に、４つ以下のレンズブロックＢＫを含む撮像レンズＬＮであれば、レンズ数を少なくした場合にもたらされる効果が顕著になるので、望ましいといえる。【０１５３】
また、撮像レンズＬＮは、図１２Ｂおよび図１２Ｃに示すように、スペーサ部材Ｂ１を介して、レンズ基板ＬＳに多数個成型されたレンズＬを並べたレンズブロックユニットＵＴ同士、さらには、センサーカバーになり得る基板Ｂ２をつなげた後、スペーサ部材Ｂ１に沿う切断で製造される。【０１５４】
そのため、レンズ基板ＬＳが平行平板であると、撮像レンズＬＮの製造過程で、レンズ基板ＬＳに対する加工は簡易または不要になるだけでなく、レンズＬが基板平面に形成されるため安定する。そのため、平行平板のレンズ基板ＬＳだと、撮像レンズＬＮの製造負担が軽減する。【０１５５】
さらに、レンズ基板ＬＳが平行平板であると、基板面とレンズＬとの境界面はパワーを有さない。そのため、例えば、レンズ基板ＬＳの基板面における面精度が、撮像レンズＬＮにおける像面へのピント位置に影響を与えにくい。したがって、撮像レンズＬＮは、高性能を有する。【０１５６】
また、撮像レンズＬＮにおける第１レンズブロックＢＫは、正パワーを発揮する。このようになっていると、第１レンズブロックＢＫ１の物体側から入射してくる光（光束）は集光され、自身よりも像側に位置する種々の面にて、光軸から離れつつ像高毎に分離される（このような現象は、以降にて“光束が分離される”と称する）。このように面（基板面およびレンズ面）にて光束が分離されると、例えばレンズ面は分離した光束毎に収差を補正する。したがって、撮像レンズＬＮにて、収差が効率よく補正される。【０１５７】
その上、このような正パワーを発揮する第１レンズブロックＢＫ１を含む撮像レンズＬＮでは、少なくとも１つのレンズブロックＢＫは、レンズ基板ＬＳの物体側基板面または像側基板面のいずれか一方の基板面のみにレンズＬを連ねると望ましい。【０１５８】
通常、複数の光学素子（例えば１枚のレンズ基板ＬＳとそれを挟み込む２枚のレンズＬと）を含むレンズブロックＢＫにて、例えば、２枚のレンズＬがレンズ基板ＬＳに対する所定位置から偏心したとする。このような場合、２枚のレンズＬの偏心方向（例えば、互いに相反する偏心方向）によっては、各レンズＬの偏心に起因する製造誤差感度が相殺され、レンズブロックＢＫとしての性能が極端に劣化しない。【０１５９】
しかしながら、逆に、２枚のレンズＬの偏心方向（例えば、互いに同じ偏心方向）によっては、各レンズＬの偏心に起因する製造誤差感度が倍増され、レンズブロックＢＫとしての性能が極端に劣化することもある。このようなレンズブロックＢＫの性能劣化（例えば収差補正機能の劣化）を防止するために、レンズブロックＢＫは、１枚のレンズ基板ＬＳおよび１枚のレンズＬのみを含むとよい（もちろん、このようなレンズブロックＢＫを含む撮像レンズＬＮは、レンズＬの枚数減少により安価になる）。【０１６０】
また、レンズブロックＢＫ同士が近づくことで、撮像レンズＬＮがコンパクトになる場合、近づき合ったレンズブロックＢＫが片側にしかレンズＬを含んでいなければ、隣接するレンズＬに対する形状の自由度は比較的大きくなる。そのため、このような撮像レンズＬＮでは、高い自由度によって形成されたレンズＬを用いて、収差が効率よく補正される。【０１６１】
また、例えば、レンズブロックＢＫを１つしか含まない撮像レンズＬＮでは、そのレンズブロックＢＫの像側のみにレンズＬが位置すれば性能上有利になる。なぜなら、物体側に開口絞りａｐｅがそのレンズＬよりも位置することで、そのレンズＬのレンズ面にて像高毎の光束が分離され。像高毎の光束に対する収差が効率よく補正される。特に、像面湾曲が効率よく補正される。【０１６２】
また、レンズブロックＢＫでは、レンズ基板ＬＳは平行平板であるので、曲率を持たない平面の基板面が収差補正機能に多大な影響を与えにくい。そのため、レンズ基板ＬＳの一方の基板面のみにしかレンズＬが連なっていなくても、レンズブロックＢＫとしての収差は抑制される（なお、レンズブロックＢＫにて、収差補正に多大な影響を与えないような平面に近いレンズ面を有するレンズＬが省略されるとよい）。【０１６３】
また、レンズ基板ＬＳの物体側基板面にしかレンズＬを連ねていないレンズブロックＢＫであれば、そのレンズブロックＢＫのレンズ基板ＬＳが撮像素子ＳＲのカバーガラスにもなり得る。例えば、２つのレンズブロックＢＫを含む撮像レンズＬＮにて、第２レンズブロックＢＫ２が、第２レンズ基板ＬＳ２の物体側基板面にしかレンズＬ[LS2o]を連ねていなければ、第２レンズ基板ＬＳ２はカバーガラスになり得る。【０１６４】
また、撮像レンズＬＮでは、以下の条件式（Ｄ１）が満たされると望ましい。この条件式（Ｄ１）は、第１レンズブロックＢＫ１の有する焦点距離を、撮像レンズＬＮ全体（全系）の焦点距離で規定する。【０１６５】
０．６≦ｆ[BK1]／ｆ[all]≦２．０  …  （Ｄ１）
ただし、
ｆ[BK1]  ：第1レンズブロックＢＫ１の焦点距離
ｆ[all]     ：撮像レンズＬＮ全体の焦点距離
である。【０１６６】
条件式（Ｄ１）の値が下限値を下回る場合、例えば、第１レンズブロックＢＫ１の正パワーが強すぎ、光の出射角度が過剰に大きくなる。そのため、像面に対するテレセントリック性が低下する。また、第１レンズブロックＢＫ１の正パワーが強すぎることに起因して、撮像レンズＬＮにて収差が発生しやすい。【０１６７】
一方、条件式（Ｄ１）の値が上限値を上回る場合、例えば、第１レンズブロックＢＫ１の正パワーが弱すぎ、第２レンズブロックＢＫ２等に到達する光が像高毎に分離されない。そのため、像高毎の光束に対する収差補正が難しい。また、第１レンズブロックＢＫ１の焦点距離が比較的長いことに起因して、撮像レンズＬＮの光学全長が増大する。【０１６８】
以上から、条件式（Ｄ１）の値が下限値から上限値までの範囲に収まれば、撮像レンズＬＮはコンパクトで高性能（例えば、テレセントリック性、高い収差補正機能）を有する。【０１６９】
また、撮像レンズＬＮにおける正パワーの第１レンズブロックＢＫ１では、第１レンズ基板ＬＳ１の物体側基板面にレンズＬ[LS1o]が連なり、そのレンズＬ[LS1o]の物体側レンズ面は、物体側凸面であると望ましい。【０１７０】
このようになっていると、レンズＬ[LS1o]の物体側から入射してくる光（光束）は集光され、そのレンズＬ[LS1o]よりも像側に位置する種々の面にて、光軸から離れつつ像高毎に分離される。このように面（基板面およびレンズ面）にて光束が分離されると、例えばレンズ面は分離した光束毎に収差を補正する。したがって、撮像レンズＬＮにて、収差が効率よく補正される。【０１７１】
さらに、このような物体側凸面のレンズＬ[LS1o]を含む撮像レンズＬＮでは、以下の条件式（Ｄ２）が満たされると望ましい。この条件式（Ｄ２）は、第１レンズ基板ＬＳ１の屈折率とレンズＬ[LS1o]の屈折率との比であり、要は、第１レンズ基板ＬＳ１の屈折率が、レンズＬ[LS1o]の屈折率よりも大きいことを示す。【０１７２】
１＜Ｎ[LS1]／Ｎ[L[LS1o]]  …  （Ｄ２）
ただし、
Ｎ[LS1]        ：第１レンズ基板ＬＳ１の屈折率
Ｎ[L[LS1o]]   ：レンズＬ[LS1o]の屈折率
である。【０１７３】
この条件式（Ｄ２）については、図１３を参照しながら説明する。図１３は第１レンズブロックＢＫ１を示す。そして、この図１３での実線ＳＷ１および実線ＬＷ１はレンズ基板ＬＳ１が存在しない場合の短波長光の光路および長波長光の光路（要は、空気中を進行すると仮定した光路）を示し、二点鎖線ＳＷ２および二点鎖線ＬＷ２はレンズ基板ＬＳ１が存在する場合での短波長光の光路および長波長光の光路を示す。【０１７４】
図１３に示すように、物体側からの光は、第１レンズＬ１（レンズＬ[LS1o]）、第１レンズ基板ＬＳ１、第２レンズＬ２（レンズＬ[LS1m]）の順で通過する。第１レンズＬ１に入射する光のうち、短波長光は、長波長光よりも大きく屈折しながら進行する。そのため、第１レンズＬ１を通過する短波長光および長波長光が第１レンズ基板ＬＳ１の物体側基板面に入射する場合、短波長光の入射角度は長波長光の入射角度よりも大きくなる。【０１７５】
ただし、第１レンズ基板ＬＳ１の屈折率Ｎ[LS1]のほうが、レンズＬ[LS1o]である第１レンズＬ１の屈折率Ｎ[L[LS1o]]よりも大きいので、スネルの法則により、短波長光が第１レンズ基板ＬＳ１の物体側基板面から出射する角度は、その物体側基板面に入射する角度よりも小さい。もちろん、長波長光の場合でも同様である。【０１７６】
また、短波長光に対する第１レンズＬ１と第１レンズ基板ＬＳ１との屈折率差も、長波長光に対する第１レンズＬ１と第１レンズ基板ＬＳ１との屈折率差よりも大きい（要は、第１レンズＬ１から第１レンズ基板ＬＳ１に入射する短波長光と長波長光とでは、短波長光のほうが大きく屈折する）。【０１７７】
すると、第１レンズ基板ＬＳ１にて進行する長波長光の光路ＬＷ２は、光路ＬＷ１より若干第１レンズ基板ＬＳ１の周縁にずれるように屈折進行する。一方、第１レンズ基板ＬＳ１にて進行する短波長光の光路ＳＷ２は、光路ＳＷ１よりもはるかに大きく第１レンズ基板ＬＳ１の周縁にずれるように屈折進行する。【０１７８】
その結果、第１レンズ基板ＬＳ１にて進行する短波長光と長波長光との光路間隔（ＳＷ２・ＬＷ２参照）は、第１レンズ基板ＬＳ１がなく空気中を進行する短波長光と長波長光との光路間隔（ＳＷ１・ＬＷ１参照）に比べて狭くなる。そのため、この条件式（Ｄ２）を満たす撮像レンズＬＮでは、光の波長の差異に起因する色収差が補正される。【０１７９】
また、物体側凸面のレンズＬ[LS1o]を含む撮像レンズＬＮでは、以下の条件式（Ｄ３）が満たされると望ましい。この条件式（Ｄ３）は、レンズＬ[LS1o]のアッベ数と第１レンズ基板ＬＳ１のアッベ数との比であり、要は、レンズＬ[LS1o]のアッベ数が、第１レンズ基板ＬＳ１のアッベ数と同じまたは大きいことを示す。【０１８０】
１＜ν[L[LS1o]]／ν[LS1]  …  （Ｄ３）
ただし、
ν[LS1]        ：第１レンズ基板ＬＳ１のアッベ数
ν[L[LS1o]]   ：レンズＬ[LS1o]のアッベ数
である。【０１８１】
アッベ数は、材質の分散を示す値であり、波長４８６．１ｎｍ（Ｆ線）の青色の光に対する屈折率ｎＦと波長６５６．３ｎｍ（Ｃ線）の赤色の光に対する屈折率ｎＣとの差分と、波長５８７．６ｎｍ（ｄ線）の黄色の光に対する屈折率と空気の屈折率との差分との比である。そして、このアッベ数が小さいということは、Ｆ線に対する屈折率とＣ線に対する屈折率との差（屈折率差）が大きいことになる。これは、短波長の光が比較的大きく屈折することを意味する。【０１８２】
したがって、このように条件式（Ｄ３）を満たす撮像レンズＬＮであれば、条件式（Ｄ２）が満たされる場合と同様に、色収差が補正される。もちろん、条件式（Ｄ２）および（Ｄ３）がともに満たされれば、その撮像レンズＬＮは、一層望ましい。【０１８３】
ただし、このような条件式（Ｄ２）および（Ｄ３）を満たさなくても、簡易かつ低コストで製造されながら色収差を補正する撮像レンズＬＮはある。例えば、以下の条件式（ＤＤ１）および（ＤＤ２）を満たす撮像レンズＬＮである。この条件式（ＤＤ１）は、第１レンズ基板ＬＳ１の屈折率とレンズＬ[LS1o]の屈折率との比であり、要は、第１レンズ基板ＬＳ１の屈折率が、レンズＬ[LS1o]の屈折率より小さいことを示す。【０１８４】
Ｎ[LS1]／Ｎ[L[LS1o]]＜１  …  （ＤＤ１）
４０≦ν[LS1]             …  （ＤＤ２）
ただし、
Ｎ[LS1]        ：第１レンズ基板ＬＳ１の屈折率
Ｎ[L[LS1o]]   ：レンズＬ[LS1o]の屈折率
ν[LS1]        ：第１レンズ基板ＬＳ１のアッベ数
である。【０１８５】
この条件式（ＤＤ２）については、図１４を参照しながら説明する。図１４は図１３同様レンズブロック１を示す。そして、この図１４での実線ＳＷ１および実線ＬＷ１はレンズ基板ＬＳ１が存在しない場合での短波長光の光路および長波長光の光路を示す。二点鎖線ＳＷ２および二点鎖線ＬＷ２は、条件式（ＤＤ２）を満たすレンズ基板ＬＳ１が存在する場合での短波長光の光路および長波長光の光路を示す。点線ＳＷ３および点線ＬＷ３は、条件式（ＤＤ２）を満たさないレンズ基板ＬＳ１が存在する場合での短波長光の光路および長波長光の光路を示す。【０１８６】
上記同様、第１レンズＬ１（レンズＬ[LS1o]）に入射する光のうち、短波長光は、長波長光よりも大きく屈折しながら進行するので、第１レンズＬ１を通過する短波長光および長波長光が第１レンズ基板ＬＳ１の物体側基板面に入射する場合、短波長光の入射角度は長波長光の入射角度よりも大きくなる。【０１８７】
そして、第１レンズ基板ＬＳ１の屈折率Ｎ[LS1]のほうが、第１レンズＬ１の屈折率Ｎ[L[LS1o]]よりも小さいので、スネルの法則により、短波長光が第１レンズ基板ＬＳ１の物体側基板面から出射する角度は、その物体側基板面に入射する角度よりも大きい。もちろん、長波長光の場合でも同様である。【０１８８】
さらに、アッベ数が比較的小さいと、短波長光の光路ＳＷ３および長波長光の光路ＬＷ３によって形成される光の帯は、第１レンズ基板ＬＳ１の像側に近づくにつれて広がる（つまり、光路ＳＷ３と光路ＬＷ３との光路間隔は広がる）。そのため、顕著な色収差が発生する。【０１８９】
しかしながら、条件式（ＤＤ２）が満たされる場合、短波長光の光路ＳＷ２および長波長光の光路ＬＷ２によって形成される光の帯は、短波長光の光路ＳＷ３および長波長光の光路ＬＷ３によって形成される光の帯ほど広がらない。つまり、光路ＳＷ２と光路ＬＷ２との光路間隔は過剰には広がらない。したがって、この条件式（ＤＤ１）および（ＤＤ２）を満たす撮像レンズＬＮでは、条件式（Ｄ２）および（Ｄ３）の少なくとも一方の条件式を満たす場合と同様に、光の波長の差異に起因する色収差が抑制される。【０１９０】
また、撮像レンズＬＮでは、以下の条件式（Ｄ４）が満たされると望ましい。この条件式（Ｄ４）は、光学全長で第１レンズ基板ＬＳの厚みを規定する。【０１９１】
０．０３≦ｄ[LS1]／ＴＬ≦０．３３  …  （Ｄ４）
ただし、
ｄ[LS1]  ：第１レンズ基板ＬＳ１の光軸上の厚み
ＴＬ     ：撮像レンズＬＮにて最も物体側の面から結像面に至るまでの光軸上
の長さ
である。【０１９２】
条件式（Ｄ４）の値が下限値を下回る場合、第１レンズ基板ＬＳ１の厚みが薄くなりすぎてしまい、第１レンズブロックＢＫ１の製造が困難になる。また、この第１レンズ基板ＬＳ１が市販ガラス平板を削ることで薄くなる場合、削られる量に相当する材料費が無駄になる。また薄くなりすぎた第１レンズ基板ＬＳ１に起因して、高価な樹脂でレンズＬ[LS1o]およびレンズＬ[LS1m]が厚みを増さなくてはならなくなると、第１レンズブロックＢＫ１（ひいては撮像レンズＬＮ）のコストが増加する。【０１９３】
一方、条件式（Ｄ４）の値が上限値を上回る場合、第１レンズ基板ＬＳ１の厚みが厚くなりすぎてしまい、ひいては第１レンズブロックＢＫ１の厚みが厚くなる。そして、その厚みに起因した非点隔差が増大する。【０１９４】
また、３枚以下のコンパクトな光学系では、特開２００６-９１６３８号公報および特開２００６-９８５０４号公報のように、最も物体側のレンズが物体側凸メニスカスレンズになっていると望ましい。しかし、このように第１レンズ基板ＬＳ１が厚くなりすぎると、第１レンズブロックＢＫ１の形状が、薄いメニスカス形状と大きく異なる。そのため、撮像レンズＬＮにおける収差補正のための設計に制限が加わる（要は、このような撮像レンズＬＮは、低い収差補正性能を有する）。その上、このような第１レンズブロックＢＫ１を含む撮像レンズＬＮは、広角レンズ系として不向きになる。【０１９５】
以上から、条件式（Ｄ４）の値が下限値から上限値までの範囲に収まれば、撮像レンズＬＮは、低コストで製造され、さらに、コンパクトで高性能を有する。特に、条件式（Ｄ４）の条件範囲のなかでも、以下の条件範囲を定めた条件式（Ｄ４ａ）が満たされると望ましい。詳説すると、実際の製造に適する範囲としては以下の範囲であればよい。なぜなら、条件式の値が下限値を下回ると製造に適さないし、条件式の値が上限値を上回ると、コンパクトさをそこなうためである。
０．０６５≦ｄ[LS1]／ＴＬ≦０．１９  …  （Ｄ４ａ）【０１９６】
なお、条件式（Ｄ２）および（Ｄ３）を満たす撮像レンズＬＮ、並びに、条件式（ＤＤ１）および（ＤＤ２）を満たす撮像レンズＬＮにて、条件式（Ｄ４）の値が満たされると、光が第１レンズ基板ＬＳ１を通過する過程にて、短波長光の光路ＳＷ２および長波長光の光路ＬＷ２によって形成される光の帯の広がり（光の分散）は適切に抑制される。【０１９７】
また、撮像レンズＬＮでは、レンズ基板ＬＳの物体側基板面および像側基板面の両基板面にレンズＬを連ねるレンズブロックＢＫが少なくとも１つ含まれると望ましい。その上、その３つの光学素子を含むレンズブロックＢＫが、以下の条件式を満たすと望ましい。この条件式（Ｄ５）は、レンズ基板ＬＳを挟み込むレンズＬ・Ｌ同士のアッベ数の差である（ただし、絶対値差）。【０１９８】
１０＜｜ν[L[LSo]]−ν[L[LSm]]｜  …  （Ｄ５）
ただし、
ν[L[LSo]]  ：レンズ基板の物体側基板面および像側基板面の両基板面にレ
ンズを連ねるレンズブロックにて、物体側基板面に連なるレン
ズが有するアッベ数
ν[L[LSm]]  ：レンズ基板の物体側基板面および像側基板面の両基板面にレ
ンズを連ねるレンズブロックにて、像側基板面に連なるレンズ
が有するアッベ数
である。【０１９９】
通常、撮像レンズＬＮでの色収差補正では、アッベ数等の材質の異なるレンズが組み合わせて用いられる。これを踏まえて、撮像レンズＬＮにおけるレンズブロックＢＫでは、絶対値で１０を超えるアッベ数の差を有する２枚のレンズＬが含まれるとよい。このようになっていれば、撮像レンズＬＮは色収差を補正する。【０２００】
ところで、撮像レンズＬＮに含まれるレンズブロックＢＫも、従来のガラスまたは樹脂で形成されるノーマルなレンズ系（ノーマルレンズ）と同等の光学性能を有さなくてはならない。通常、ノーマルレンズにて、像面に対するテレセントリック性が考慮されると、開口絞りが最も物体側に位置すると望ましい。【０２０１】
しかしながら、開口絞りが最も物体側に位置すると、その開口絞りを基準にして物体側に位置するレンズ面と像側に位置するレンズ面との間で、光学的な対称性が成立しない（例えば、ノーマルレンズの光学全長の中間付近に開口絞りが位置し、その開口絞りを基準にして、物体側に位置するレンズ面が物体側凸面で、像側に位置するレンズ面が像側凸面だと、対称性が成立したといえる）。【０２０２】
そして、このような対称性が成立しない場合、ノーマルレンズにおける収差性能は劣化する（要は、開口絞りの前後で、収差が補正されにくい）。この解決策として、例えば特開２００６−９１６３８号公報および特開２００６−９８５０４号公報では、最も物体側のレンズを物体側凸のメニスカスレンズにし、さらに、そのメニスカスレンズにおける物体側レンズ面の曲率半径を比較的小さくしたノーマルレンズが開示される。【０２０３】
このノーマルレンズは、広角レンズ系でありながら、中絞りであっても、開口絞りを物体側に位置させる。そのため、このノーマルレンズは、像面に対するテレセントリック性を確保しつつ、開口絞り位置を基準にした物体側および像側の光学的な対称性も確保する。【０２０４】
しかしながら、レンズブロックＢＫの場合、特に平行平板であるレンズ基板ＬＳを含むレンズブロックＢＫの場合、加工の制限上、レンズ基板ＬＳは一定の厚みを有さなくてはならず、十分に薄くはならない。そのため、このレンズ基板ＬＳを含むレンズブロックＢＫは、レンズ基板ＬＳの厚みよりも薄いメニスカス形状にはなり得ない。【０２０５】
そのため、このレンズブロックＢＫにて、レンズ基板ＬＳの物体側のレンズＬ（例えば第１レンズＬ１）よりもさらに物体側、または、レンズ基板ＬＳの像側のレンズＬ（例えば第２レンズＬ２）よりもさらに像側に、開口絞りａｐｅが位置してしまうと、レンズブロックＢＫの光学性能は、ノーマルレンズに比べて劣る。【０２０６】
例えば、第１レンズＬ１の物体側に開口絞りａｐｅが位置することで生じる光学性能の劣化の一例として、非点収差が挙げられる。非点収差は、レンズ面への入射角（レンズ面法線基準）と射出角との比が、像高毎で異なることで生じる。特に、非点収差は、以下の式（ＡＦＣ）にしたがって、主に周辺（光軸外）での非点隔差の増大に起因して悪化する｛なお、式（ＡＦＣ）は、比較的厚いレンズに関する一般的な式である｝。【０２０７】
(ｄ／２ｎ)・(１−ｃｏｓ２Ｕ／ｃｏｓ２Ｕ’)・(ｃｏｓＵ／ｃｏｓＵ’)…（ＡＦＣ）
ただし、
ｄ    ：レンズの厚み
ｎ    ：レンズの屈折率
Ｕ    ：レンズへの入射角（ただし、レンズ面法線基準）
Ｕ’  ：レンズからの射出角
である。【０２０８】
また、第１レンズＬ１の物体側に開口絞りａｐｅが位置すると、前述のような光学性能の劣化が起きる他に、撮像レンズＬＮの軸外偏心誤差感度が大きくなる。軸外偏心誤差感度とは、撮像レンズＬＮの製造誤差感度の一つであり、撮像レンズＬＮにて、シフト偏心が生じた場合に結像面で生じる片ボケ量のことである。【０２０９】
そして、このような軸外偏心誤差感度の増大は、レンズＬの曲率中心と開口絞りａｐｅとの間隔が比較的長いことに起因する。通常、レンズＬの曲率中心と開口絞りａｐｅとの間隔が比較的短ければ、開口絞りａｐｅを通過する光は、レンズ面に対して比較的に垂直で入射するので、偏心による光線軌跡のズレが減少し、光学性能に影響を与えにくい。【０２１０】
しかしながら、レンズＬの曲率中心と開口絞りａｐｅとの間隔が比較的長いと、開口絞りａｐｅを通過する光は、レンズ面に対して垂直に入射しづらくなり、偏心による光線軌跡のズレが増加し、光学性能に影響を与えてしまうためである。【０２１１】
また、第２レンズＬ２の像側に開口絞りａｐｅが位置すると、像面に対するテレセントリック性が悪くなる。このような悪化は、コンパクトなレンズ系に関係する。【０２１２】
例えば、焦点距離と同等な光学全長を有するとともに、焦点距離と像高の２倍とを同程度にする撮像レンズＬＮがあるとする。そして、この撮像レンズＬＮにて、開口絞りａｐｅが光学系の中心にあると、最大画角（最大像高）の光線は、開口絞りａｐｅの位置から像面へ向かうときに必ず画角以上の入射角で撮像素子ＳＲの受光面に入射する。【０２１３】
これによって、像面への入射角度が大きくなる。さらに、この入射角度は、撮像素子ＳＲの受光面前のレンズアレイの入射制限角度を超えてしまうため、光線がケラレて周辺照度不足が発生する。【０２１４】
以上を踏まえると、開口絞りａｐｅが第１レンズブロックＢＫ１の内部（特に、第１レンズ基板ＬＳ１内部）に位置すると、像面に対するテレセントリック性を確保しつつ良好な収差補正機能を有する撮像レンズＬＮが実現する。そして、このような撮像レンズＬＮの実現に要する条件の１つが、以下の条件式（Ｄ６）である。この条件式（Ｄ６）は、開口絞りａｐｅの位置を規定する。【０２１５】
０≦ＤＴ[LS1o-ape]／ｄ[LS1]≦１  …  （Ｄ６）
ただし、
ＤＴ[LS1o-ape]  ：第１レンズ基板ＬＳ１の物体側基板面から開口絞り面に至る
までの長さ（ただし、第１レンズ基板ＬＳ１の物体側基板面
から像側での長さを“正”とし、物体側での長さを“負”と
する）
ｄ[LS1]             ：第１レンズ基板ＬＳ１の光軸上の厚み
である。【０２１６】
条件式（Ｄ６）の値が下限値を下回る場合、開口絞りａｐｅは第１レンズ基板ＬＳ１の物体側基板面よりも物体側に位置することになり、レンズＬ[LS1o]の曲率中心と開口絞りａｐｅとの間隔が比較的長くなる。そのため、撮像レンズＬＮの軸外偏心誤差感度が高くなり、レンズの面精度の要求が極めて高くなる。そのため、撮像レンズＬＮの製造が難しくなる。【０２１７】
一方、条件式（Ｄ６）の値が上限値を上回る場合、開口絞りａｐｅは第１レンズ基板ＬＳ１の像側基板面よりも像側に位置することになる。つまり、開口絞りａｐｅの位置が過剰に像側に近づく。そのため、像面に対するテレセントリック性が低下する。【０２１８】
以上から、条件式（Ｄ６）の値が下限値から上限値までの範囲に収まれば、比較的簡易かつ安価に撮像レンズＬＮが製造され、さらに、製造された撮像レンズＬＮは、比較的コンパクトでありながら高性能（例えば高い収差補正機能）を有する。【０２１９】
詳説すると、この撮像レンズＬＮは、回折面を含むことなく、像高に対する光学全長を短縮し、さらに、良好に収差を補正する。また、この撮像レンズＬＮがレンズブロックＢＫを２つ以上含んでいたとしても、そのレンズブロックＢＫは製造誤差感度を抑えたレンズ基板ＬＳを含む。したがって、このようなレンズブロックＢＫを２つ含む撮像レンズＬＮであっても、簡易かつ低コストで製造され、さらに、コンパクトで高性能を有する。【０２２０】
また、以上のような撮像レンズＬＮが撮像装置ＬＵに搭載されると、その撮像装置ＬＵも、低コストで製造され、さらに、コンパクトで高性能を有する。もちろん、このような撮像装置ＬＵが携帯端末ＣＵに搭載されても同様である。すなわち、薄型、軽量、およびコンパクトでありながら、低コストで高性能かつ高機能を有する携帯端末ＣＵが実現する。【０２２１】
なお、このような撮像レンズＬＮに関する効果は、以下の条件式（Ｄ６ａ）であっても奏ずる。
０＜ＤＴ[LS1o-ape]／ｄ[LS1]≦１  …  （Ｄ６ａ）【０２２２】
また、開口絞りａｐｅは、遮光性膜であるとよい。このような膜状の開口絞りａｐｅであれば、例えば第１レンズ基板ＬＳ１の基板面（物体側基板面または像側基板面）に塗布または真空蒸着で形成できる。【０２２３】
その上、塗布または蒸着によって開口絞りａｐｅが形成されると、その開口絞りａｐｅは比較的薄くなる。そして、特に、以下の条件式（Ｄ７）が満たされると望ましい。【０２２４】
ｄ[ape]＜２５  …  （Ｄ７）
ただし、
ｄ[ape]  ：開口絞りの光軸方向の厚み［単位；μｍ］
である。【０２２５】
すなわち、開口絞りａｐｅの光軸方向の厚みが２５μｍより薄ければよい（望ましくは、開口絞りａｐｅの光軸方向の厚みは１０μｍより薄ければよい；ｄ[ape]≦１０μｍ）。このようになっていれば、開口絞りａｐｅのエッジ付近での反射が起きにくくなる。そのため、その反射に起因する迷光が撮像レンズＬＮにて発生しない。なお、全実施例の撮像レンズＬＮにて、開口絞りａｐｅは、以下の条件式（Ｄ７）を満たす厚みを有する。【０２２６】
また、開口絞りａｐｅが第１レンズ基板ＬＳ１の物体側基板面に形成される場合、すなわち、条件式（Ｄ６）の値がゼロとなる場合（下限値と一致する場合）、レンズＬ[LS1o]の物体側レンズ面が物体側凸面であると望ましい。【０２２７】
このようになっていれば、比較的開口絞りａｐｅの位置が物体側に位置することになり、像面に対するテレセントリック性が向上する。その上、レンズＬ[LS1o]が物体側凸面であることに起因して、開口絞り位置を基準にした物体側および像側の光学的な対称性も確保されやすくなる。【０２２８】
また、パワーを発揮する光学素子としては（例えば、レンズブロックＢＫとしては）、第１レンズブロックＢＫ１のみを含む撮像レンズＬＮにあって、レンズＬ[LS1m]のみが第１レンズ基板ＬＳ１の像側基板面に連なると望ましい。そして、この撮像レンズＬＮでは、開口絞りａｐｅ、第１レンズ基板ＬＳ１、レンズＬ[LS1m]が、この順で物体側から像側に向かって並び、レンズＬ[LS1m]の像側面が、像側凸面であると望ましい。【０２２９】
このようになっていると、レンズブロックＢＫの個数が最少になるので、シンプルかつコンパクトな撮像レンズＬＮが実現する。また、第１レンズ基板ＬＳ１の物体側基板面にはレンズＬが連なっていないので、その物体側基板面に開口絞りａｐｅが簡易に形成される（例えば、塗布または真空蒸着で開口絞りａｐｅが簡易に形成される）。【０２３０】
なお、このような撮像レンズＬＮであっても、前述の条件式（Ｄ４）が満たされれば、その撮像レンズＬＮは、低コストで製造され、さらに、コンパクトで高性能を有する。【０２３１】
また、このような撮像レンズＬＮであっても、レンズＬ[LS1m]の像側面が、像側凸面かつ非球面であれば、レンズＬ[LS1m]の像側面の焦点距離は比較的長くなり、像面湾曲が補正される。ただし、この撮像レンズＬＮにて、歪曲収差の補正が十分でなければ、この撮像レンズＬＮを搭載する携帯端末ＣＵの画像処理機能で補正する。【０２３２】
また、レンズブロックＢＫが少なくとも２つ以上含まれる撮像レンズＬＮにあっては、以下のようになっていると望ましい。すなわち、第１レンズブロックＢＫ１では、レンズＬ[LS1o]の物体側レンズ面が物体側凸面であり、第２レンズブロックＢＫ２では、レンズＬ[LS2o]の物体側レンズ面は、物体側凹面であると望ましい。【０２３３】
このようになっていると、以下の式（ＰＳ）で定義されるペッツバール和が小さくなる。なぜなら、レンズＬ[LS1o]における物体側レンズ面の物体側凸面の焦点距離と、レンズＬ[LS2o]における物体側レンズ面の物体側凹面の焦点距離とが相殺する関係になるためである。なお、ペッツバール和の値がゼロだと、近軸的な像面の曲率がゼロ、すなわち平面となり、その像面が理想的な面となる。【０２３４】
【数ＰＳ】
2008102776.tif 000013
ただし、
ｆｊ  ：物体側からｊ番目のレンズ面による焦点距離
ｎｊ  ：物体側からｊ番目のレンズ面を形成するレンズ材料の屈折率
である。【０２３５】
また、レンズＬ[LS2o]の物体側凹面は、レンズＬ[LS1o]の物体側凸面（正パワー）によって収斂する過程の光をうける。したがって、レンズＬ[LS2o]の物体側凹面は、極小サイズになる前の各光束に対して収差補正するので、各光束の周縁の収差も補正する。【０２３６】
また、レンズＬ[LS1o]の物体側凸面とレンズＬ[LS2o]の物体側凹面との間隔は、近すぎることもなく遠すぎることもない。そのため、レンズＬ[LS2o]の物体側凹面の曲率は、レンズＬ[LS1o]の物体側凸面の正パワーに応じて制約は加わるものの自由度は高い。したがって、ペッツバール和をゼロに近づけるためのレンズＬ[LS2o]のレンズ設計がしやすい。【０２３７】
また、パワーを発揮する光学素子としては（例えば、レンズブロックＢＫとしては）、第１レンズブロックＢＫ１および第２レンズブロックＢＫ２のみが含まれる撮像レンズＬＮでは、以下のようになっていると望ましい。詳説すると、各レンズブロックＢＫ１・ＢＫ２が以下のようになっていると望ましい。【０２３８】
すなわち、第１レンズブロックＢＫ１では、レンズＬ[LS1o]、第１レンズ基板ＢＫ１、レンズＬ[LS1m]が、この順で物体側から像側に向けて並ぶ。また、第２レンズブロックＢＫ２では、レンズＬ[LS2o]、第２レンズ基板ＢＫ２が、この順で物体側から像側に向けて並ぶ。【０２３９】
そして、この撮像レンズＬＮにて、レンズＬ[LS1o]の物体側レンズ面が物体側凸面、レンズＬ[LS1m]の像側レンズ面が像側凸面、レンズＬ[LS2o]の物体側レンズ面は、物体側凹面であると望ましい。【０２４０】
このような第１レンズブロックＢＫ１は、例えば物体側レンズ面を物体側凸面としたレンズＬ[LS1o]と、像側レンズ面を像側凸面以外のレンズ面としたレンズＬ[LS1m]とを含む第１レンズブロックＢＫ１と同じ正パワーを発揮したとしても、レンズＬ[LS1o]の物体側凸面のパワーを抑えられる。つまり、正パワーを発揮する第１レンズブロックＢＫ１におけるパワーの負担が、レンズＬ[LS1o]の物体側凸面とレンズＬ[LS1m]の像側凸面とに割り振られる。【０２４１】
すると、パワー負担の抑えられたレンズ、例えばレンズ[LS1o]の曲率半径が比較的大きくなってもよく、その結果、レンズ[LS1o]の体積が小さくなる。そして、このように体積が小さくなると、例えばレンズ[LS1o]が高価な樹脂で形成されていれば、レンズ[LS1o]のコストも抑えられる。【０２４２】
その上、曲率半径の比較的大きなレンズＬは、比較的容易に製造され、さらに、諸性能の評価難易度（例えば、軸外偏心誤差感度）も低くなる。また、パワーの比較的小さいレンズでは、パワーに起因する諸収差も小さくなり、そのようなレンズＬを含む撮像レンズＬＮは、効率よく諸収差を補正する。【０２４３】
なお、この撮像レンズＬＮでは、レンズブロックＢＫ１における焦点距離と、レンズＬ[LS2o]における物体側レンズ面（物体側凹面）の焦点距離とが相殺する関係になるため、ペッツバール和の値も小さくなる。【０２４４】
また、正パワーを発揮する第１レンズブロックＢＫ１に加えて、別のレンズブロックＢＫが含まれることで、合計で少なくとも２つ以上のレンズブロックＢＫを含む撮像レンズＬＮにあっては、以下のようになっていると望ましい。すなわち、第１レンズブロックＢＫ１では、レンズＬ[LS1m]の像側レンズ面が像側凹面であると望ましい。【０２４５】
このようになっていると、前側主点が物体側に移動する。すると、撮像レンズＬＮの全長が短縮される。その上、レンズＬ[LS1o]における物体側レンズ面が物体側凸面であれば、ペッツバール和も小さくなる。なぜなら、レンズＬ[LS1o]における物体側レンズ面の物体側凸面の焦点距離と、レンズＬ[LS1m]における像側レンズ面の像側凹面の焦点距離とが相殺する関係になるためである。【０２４６】
また、レンズブロックＢＫとしては、第１レンズブロックＢＫ１および第２レンズブロックＢＫ２のみが含まれる撮像レンズＬＮでは、以下のようになっていると望ましい。詳説すると、各レンズブロックＢＫ１・ＢＫ２が以下のようになっていると望ましい。【０２４７】
すなわち、第１レンズブロックＢＫ１では、レンズＬ[LS1o]、第１レンズ基板ＢＫ１、レンズＬ[LS1m]が、この順で物体側から像側に向けて並ぶ。また、第２レンズブロックＢＫ２では、レンズＬ[LS2o]、第２レンズ基板ＢＫ２が、この順で物体側から像側に向けて並ぶ。そして、レンズＬ[LS1o]の物体側レンズ面は物体側凸面、レンズＬ[LS1m]の像側レンズ面が像側凹面、レンズＬ[LS2o]の物体側レンズ面が物体側凹面、である。【０２４８】
このようになっていると、レンズＬ[LS1o]の物体側レンズ面（物体側凸面）における焦点距離と、レンズＬ[LS1m]における像側レンズ面（像側凹面）の焦点距離およびレンズＬ[LS2o]における物体側レンズ面（物体側凹面）の焦点距離とが相殺する関係になるため、ペッツバール和の値が小さくなる。【０２４９】
また、２つのレンズブロックＢＫ１・ＢＫ２を含む撮像レンズＬＮでは、以下の条件式（Ｄ８）が満たされると望ましい。この条件式（Ｄ８）は、光学全長でレンズブロックＢＫ間における空気間隔の総和を規定する。【０２５０】
Ａｒ／ＴＬ≦０．５  …  （Ｄ８）
ただし、
Ａｒ      ：撮像レンズＬＮにて、隣り合うレンズブロックＢＫ同士の空気間隔
の総和（ただし、レンズブロックＢＫを除くパワーを有さない光学
素子の厚みは、空気換算した後、空気間隔に含む）
ＴＬ      ：撮像レンズＬＮにて最も物体側の面から結像面に至るまでの光軸上
の長さ
である。【０２５１】
条件式（Ｄ８）が満たされるコンパクトな撮像レンズＬＮは、撮像素子ＳＲと一体化したコンパクトなモジュール（カメラモジュール）となる。そして、このカメラモジュールは、ペースト状のハンダの印刷されたプリント基板（回路基板）に取り付けられた後、加熱処理（リフロー処理）されることで、そのプリント基板に実装される。【０２５２】
このような実装過程におけるリフロー処理では、撮像レンズＬＮは、３００℃近く（２５０〜２８０℃程度）の環境下に置かれる。すると、図１２Ｃに示すように、スペーサ部材Ｂ１を介して密閉されるレンズブロックＢＫ間の空気は膨張する。このような空気膨張が過剰に起きてしまうと、レンズブロック同士が乖離し、撮像レンズＬＮが破損しかねない。【０２５３】
そこで、このような撮像レンズＬＮの破損を防止すべく、撮像レンズＬＮは、条件式（Ｄ８）を満たすと望ましい。つまり、撮像レンズＬＮにおける空気間隔は極力短いと望ましい。特に、条件式（Ｄ８）の条件範囲のなかでも、以下の条件範囲を定めた条件式（Ｄ８ａ）が満たされると望ましい。この条件式の範囲であれば、撮像レンズＬＮが密閉された場合に、閉じこめられる空気が充分に小さくなる。
Ａｒ／ＴＬ≦０．４５  …  （Ｄ８ａ）【０２５４】
また、レンズブロックＢＫとしては、第１レンズブロックＢＫ１〜第３レンズブロックＢＫ３のみが含まれる撮像レンズＬＮでは、以下のようになっていると望ましい。詳説すると、各レンズブロックＢＫ１〜ＢＫ３が以下のようになっていると望ましい。【０２５５】
すなわち、第１レンズブロックＢＫ１では、レンズＬ[LS1o]、第１レンズ基板ＬＳ１、レンズＬ[LS1m]が、この順で物体側から像側に向けて並ぶ。また、第２レンズブロックＢＫ２では、レンズＬ[LS2o]、第２レンズ基板ＬＳ２が、この順で物体側から像側に向けて並ぶ。また、第３レンズブロックＢＫ３では、レンズＬ[LS3o]、第３レンズ基板ＬＳ３、レンズＬ[LS3m]が、この順で物体側から像側に向けて並ぶ。【０２５６】
そして、レンズＬ[LS1o]の物体側レンズ面は物体側凸面、レンズＬ[LS1m]の像側レンズ面が像側凹面、レンズＬ[LS2o]の物体側レンズ面が物体側凹面、並びに、レンズＬ[LS3o]の物体側レンズ面およびレンズＬ[LS3m]の像側レンズ面が非球面、であると望ましい。【０２５７】
このようになっていると、物体側凸面であるレンズＬ[LS1o]は、自身の物体側から入射してくる光（光束）を集光させ、自身よりも像側に位置する種々の面にて、光軸から離れつつ像高毎に分離させる。したがって、例えばレンズ面は分離した光束毎に収差を補正する。【０２５８】
また、レンズＬ[LS1o]の物体側レンズ面（物体側凸面）における焦点距離と、レンズＬ[LS1m]における像側レンズ面（像側凹面）の焦点距離およびレンズＬ[LS2o]における物体側レンズ面（物体側凹面）の焦点距離とが相殺する関係になるため、ペッツバール和の値が小さくなる。【０２５９】
また、仮に、収差補正上、レンズＬ[LS2m]が第２レンズ基板ＬＳ２に連なっていたとする。すると、レンズＬ[LS2m]、レンズ[LS3o]、およびレンズ[LS3m]において、レンズＬ[LS2m]は比較的物体側に位置するので、そのレンズＬ[LS2m]の像側レンズ面では像高毎の光束が分離されていない。【０２６０】
したがって、第２レンズブロックＢＫ２にて、レンズＬ[LS2m]が存在しなかったとしても、収差補正上の影響は少ない。つまり、第２レンズ基板ＬＳ２の像側基板面にレンズＬ[LS2m]を連ねたとしても、そのレンズＬ[LS2m]は、レンズＬ[LS2o]よりも収差補正に寄与しない。そのため、第２レンズブロックＢＫ２では、物体側レンズ面が物体側凹面にするレンズＬ[LS2o]のみが含まれる。【０２６１】
なお、レンズＬ[LS2o]の物体側凹面は、第１レンズブロックＢＫ１の正パワーによって収斂する過程の光をうける。したがって、レンズＬ[LS2o]の物体側凹面は、極小サイズになる前の各光束に対して収差補正するので、各光束の周縁の収差を補正する。【０２６２】
また、レンズＬ[LS1o]の物体側凸面とレンズＬ[LS2o]の物体側凹面との間隔は、近すぎることもなく遠すぎることもない。そのため、レンズＬ[LS2o]の物体側凹面の曲率は、レンズＬ[LS1o]の物体側凸面の正パワーに応じて制約は加わるものの自由度は高い。したがって、ペッツバール和をゼロに近づけるためのレンズＬ[LS2o]のレンズ設計がしやすい。【０２６３】
さらに、第３レンズブロックＢＫ３に到達する像高毎の光は、他のレンズブロックＢＫ１・ＢＫ２に到達する像高毎の光に比べて、分離している。そのため、レンズ[LS3o]の物体側レンズ面およびレンズＬ[LS3m]の像側レンズ面が非球面であれば、像面収差および非点収差等が効率よく補正される。【０２６４】
また、レンズブロックＢＫとしては、第１レンズブロックＢＫ１〜第４レンズブロックＢＫ４のみが含まれる撮像レンズＬＮでは、以下のようになっていると望ましい。詳説すると、各レンズブロックＢＫ１〜ＢＫ４が以下のようになっていると望ましい。【０２６５】
すなわち、第１レンズブロックＢＫ１では、レンズＬ[LS1o]、第１レンズ基板ＬＳ１、レンズＬ[LS1m]が、この順で物体側から像側に向けて並ぶ。また、第２レンズブロックＢＫ２では、レンズＬ[LS2o]、第２レンズ基板ＬＳ２、レンズＬ[LS2m]が、この順で物体側から像側に向けて並ぶ。また、第３レンズブロックＢＫ３では、第３レンズ基板ＬＳ３、レンズＬ[LS3m]が、この順で物体側から像側に向けて並ぶ。また、第４レンズブロックＢＫ４では、レンズＬ[LS4o]、第４レンズ基板ＬＳ４、レンズＬ[LS4m]が、この順で物体側から像側に向けて並ぶ。【０２６６】
そして、レンズＬ[LS1o]の物体側レンズ面は物体側凸面、レンズＬ[LS1m]の像側レンズ面が像側凹面、レンズＬ[LS2o]の物体側レンズ面が物体側凹面、レンズＬ[LS3m]の像側レンズ面が非球面、並びに、レンズＬ[LS4o]の物体側レンズ面およびレンズＬ[LS4m]の像側レンズ面が非球面、であると望ましい。【０２６７】
このようになっていると、物体側凸面であるレンズＬ[LS1o]は、自身の物体側から入射してくる光（光束）を集光させ、自身よりも像側に位置する種々の面にて、光軸から離れつつ像高毎に分離させる。したがって、例えばレンズ面は分離した光束毎に収差を補正する。【０２６８】
また、レンズＬ[LS1o]の物体側レンズ面（物体側凸面）における焦点距離と、レンズＬ[LS1m]における像側レンズ面（像側凹面）の焦点距離およびレンズＬ[LS2o]における物体側レンズ面（物体側凹面）の焦点距離とが相殺する関係になるため、ペッツバール和の値が小さくなる。なお、レンズＬ[LS2o]の物体側レンズ面が非球面であることから、この非球面が諸収差を効率よく補正する。【０２６９】
また、仮に、収差補正上、レンズＬ[LS3o]が第３レンズ基板ＬＳ３に連なっていたとする。すると、レンズ[LS3o]およびレンズ[LS3m]において、レンズＬ[LS3o]は比較的物体側に位置するので、そのレンズＬ[LS3o]の物体側レンズ面では像高毎の光束が分離されていない。【０２７０】
したがって、第２レンズブロックＢＫ２にて、レンズＬ[LS3o]が存在しなかったとしても、収差補正上の影響は少ない。つまり、第３レンズ基板ＬＳ３の像側基板面にレンズＬ[LS3o]を連ねたとしても、そのレンズＬ[LS3o]は、レンズＬ[LS3m]よりも収差補正に寄与しない。そのため、第３レンズブロックＢＫ３では、像側レンズ面を非球面にするＬ[LS3m]のみが含まれる。【０２７１】
さらに、第４レンズブロックＢＫ４に到達する像高毎の光は、他のレンズブロックＢＫ１〜ＢＫ３に到達する像高毎の光に比べて、分離している。そのため、レンズ[LS4o]の物体側レンズ面およびレンズＬ[LS4m]の像側レンズ面が非球面であれば、像面収差および非点収差等が効率よく補正される。【０２７２】
また、３つのレンズブロックＢＫを含む撮像レンズＬＮ、および４つのレンズブロックＢＫを含む撮像レンズＬＮでは、以下の条件式（Ｄ９）および（Ｄ１０）が満たされると望ましい。この条件式（Ｄ９）は、撮像レンズＬＮにおける光学全長と最大像高との比を示しており、最大像高に対して最大でも２倍程度に抑えた光学全長しか有さないコンパクトな撮像レンズＬＮを意味する。また、条件式（Ｄ１０）は、光学全長でレンズブロックＢＫ間における空気間隔の総和を規定する。【０２７３】
ＴＬ／Ｙ’≦２．０６    …  （Ｄ９）
Ａｒ／ＴＬ≦０．６      …  （Ｄ１０）
ただし、
ＴＬ      ：撮像レンズＬＮにて最も物体側の面から結像面に至るまでの光軸上
の長さ
Ｙ’      ：最大像高
Ａｒ      ：撮像レンズＬＮにて、隣り合うレンズブロックＢＫ同士の空気間隔
の総和（ただし、レンズブロックＢＫを除くパワーを有さない光学
素子の厚みは、空気換算した後、空気間隔に含む）
である。【０２７４】
この条件式（Ｄ１０）が満たされると、前述した条件式（Ｄ８）が満たされる場合と同様の作用効果が、撮像レンズＬＮに奏ずる。特に、条件式（Ｄ１０）の条件範囲のなかでも、以下の条件範囲を定めた条件式（Ｄ１０ａ）が満たされると望ましい。この条件式の範囲であれば、撮像レンズＬＮが密閉された場合に、閉じこめられる空気が充分に小さくなる。
Ａｒ／ＴＬ≦０．４  …  （Ｄ１０ａ）【０２７５】
また、撮像レンズＬＮが高温環境下に置かれることを想定して、比較的耐熱性の高いガラスで、レンズ基板ＬＳが形成されると望ましい。特に、そのガラスが、高軟化温度のガラスであると一層望ましい（なお、レンズＬについての耐熱性等については後述する）。【０２７６】
なお、以下に、全ての実施例（ＥＸ１〜ＥＸ５）における条件式（Ｄ１〜Ｄ１０）の結果を表にして示す。ただし、実施例１〜５は、条件式（Ｄ７）を満たすため表では省略する。また、表での“×”は、条件式に対応する値を求められないことを意味し、下線は条件を満たさないことを意味する。
【表１１】
2008102776.tif 000014
【０２７７】
［実施の形態２］
実施の形態２について説明する。なお、実施の形態１で用いた部材と同様の機能を有する部材については同一の符号を付記し、その説明を省略する。この実施の形態では、レンズＬを形成する樹脂について説明する。【０２７８】
樹脂は、加工性に優れている。そのため、実施の形態１で列挙してきたレンズＬが樹脂で形成される場合、金型等で簡易に非球面のレンズ面が形成される。【０２７９】
ただし、通常、透明な樹脂（ポリメチルメタクリレート等）に微粒子が混合すると、樹脂内に光の散乱が生じ、透過率が低下する。そのため、微粒子を含有する樹脂は、光学材料として不向きといえる。【０２８０】
また、樹脂は、温度に依存して屈折率を変える。例えば、以下のローレンツ・ローレンツの式（ＬＬ）で、ポリメチルメタクリレート（ＰＭＭＡ）の屈折率の温度依存性、すなわち、温度に依存する屈折率変化（ｄｎ／ｄｔ）を求めてみる。
【数ＬＬ】
2008102776.tif 000015
ただし、
ｎ   ：樹脂の屈折率
ｔ   ：温度
α   ：線膨張係数（なお、ＰＭＭＡの場合、α＝７×１０−５である）
［Ｒ］ ：分子屈折
である。【０２８１】
すると、ＰＭＭＡの場合、屈折率変化が“−１．２×１０−４［／℃］”となる。この数値は実測値とほぼ一致する。したがって、樹脂（プラスチック）だけでレンズＬが形成されると、そのレンズＬの有する屈折率変化は、温度に依存せざるを得ない。その上、このような樹脂に単純に微粒子を混在させてレンズＬが形成されると、そのレンズＬは光を散乱させるだけでなく、温度に応じて屈折率を変えることになる。【０２８２】
しかしながら、最近、樹脂が適切に設計された微粒子を含むことで、光学材料として使用可能であることがわかってきた。なぜなら、微粒子を含有する樹脂（混合樹脂）では、その微粒子の粒径が透過光束の波長より小さくなっていると、光の散乱が発生しないためである。【０２８３】
その上、微粒子が無機微粒子であると、その無機微粒子は温度上昇にともなって屈折率を上昇させる。そのため、混合樹脂にて、温度上昇にともなった樹脂の屈折率低下と、温度上昇にともなった無機微粒子の屈折率上昇とが同時に発生する。すると、両方の温度依存性（屈折率低下・屈折率上昇）が相殺され、その結果、混合樹脂の屈折率変化が温度に依存して起きにくくなる（例えば、レンズＬにて、面形状変化に起因する近軸像点位置への影響とほぼ同程度に、屈折率変化が抑えられる）。【０２８４】
なお、特開２００７−１２６６３６号に、以上の一例である混合樹脂、すなわち、樹脂（母材）に最大長３０ｎｍ以下の無機微粒子｛子材；酸化ニオブ（Ｎｂ２Ｏ５）等｝を分散させた混合樹脂が開示される。【０２８５】
以上を踏まえると、レンズＬが３０ｎｍ以下の無機微粒子を分散させた樹脂（混合樹脂）で形成されると、そのレンズＬを含む撮像レンズＬＮは、温度に対して高い耐久性を有する。また、例えば、混合樹脂における樹脂と無機微粒子との比率、無機微粒子の粒径の長さ（例えば、最大長２０ｎｍ以下、さらに望ましくは１５ｎｍ以下）、母材となる樹脂の種類、および子材となる無機微粒子の種類、が適切に調整されると、レンズＬが高屈折率を発揮する。すると、混合樹脂でレンズＬが形成されると、そのレンズＬを含む撮像レンズＬＮがコンパクトになったり、レンズＬの成型難易度が低減したりする。【０２８６】
なお、以上のような樹脂は硬化型樹脂であると望ましい。なぜなら、このような硬化型樹脂であれば、金型等によって、簡易に非球面を含むレンズＬが製造されるためである。また、樹脂に接着性があれば（または樹脂に接着剤が混在していれば）、その樹脂製のレンズＬはレンズ基板ＬＳに容易に接合する。つまり、直接接着されたレンズ基板ＬＳおよびレンズＬを含むレンズブロックＢＫブロックが簡単に製造される。【０２８７】
さらに、以上のような樹脂が耐熱性を有するとよい。例えば、撮像レンズＬＮおよび撮像素子ＳＲを一体化したモジュール（カメラモジュール）は、ペースト状のハンダの印刷されたプリント基板（回路基板）に取り付けられた後、加熱処理（リフロー処理）されることで、そのプリント基板に実装される。特に、このような実装はオートメーションで行われる。すると、レンズＬが耐熱性の硬化型樹脂であれば、リフロー処理に耐えられるので、オートメーションに適する（もちろん、レンズ基板ＬＳも耐熱性の高い材料、例えば、ガラスだと望ましい）。【０２８８】
なお、硬化型樹脂の一例としては、熱硬化型樹脂および紫外線（ＵＶ）硬化型樹脂が挙げられる。【０２８９】
そして、熱硬化型樹脂の場合、レンズＬが比較的厚かったとしても、精度よく製造される。また、ＵＶ硬化樹脂の場合、比較的短時間で硬化するため、レンズＬが短時間で製造される。【０２９０】
［その他の実施の形態］
なお、本発明は上記の実施の形態に限定されず、本発明の趣旨を逸脱しない範囲で、種々の変更が可能である。【０２９１】
例えば、撮像レンズは以下のように表現することもできる。【０２９２】
撮像レンズは、物体に相対する、少なくとも正の屈折力を有する第１レンズブロックと、その第１レンズブロックの像側に配置され、物体側に凹面形状を有する第２レンズブロックとを含み、さらに、その第２レンズブロックの像側に少なくとも１枚以上のレンズブロックを配置させる。【０２９３】
そして、この撮像レンズにて、第２レンズブロックの像側に配置されたレンズブロックの内で、第２レンズブロックより最も像側に配置されたレンズブロックを第ｉレンズブロック（ｉ≧３）とする。すると、第ｉレンズブロックは、第ｉレンズ基板を含み、かつ、その第ｉレンズ基板の物体側面に形成され、その第ｉレンズ基板とは異なる屈折率を持ち、最大像高の主光線が通過するところで物体側に凸面形状を有するレンズを含む。【０２９４】
つまり、撮像レンズは、ｉ個のレンズブロックを使用した場合に、最も像側のレンズブロックである第ｉレンズブロックに含まれる第ｉレンズ基板の物体側面に形成されたレンズが最軸外で物体側に凸面形状をもつ。これによって、周辺光束の第ｉレンズ基板の像側面に形成されたレンズへの入射角は小さく抑えられる。そのため、第ｉレンズ基板の像側面に形成されたレンズは撮像素子への入射角を小さく抑えなくてもよい。したがって、非球面サグ量が抑えられる。その結果、第ｉレンズ平板のレンズ要素が薄くなってもよく、撮像レンズ全体の小型化が可能になる。【０２９５】
また、第２レンズブロックの物体側面が物体側に凹面形状を有することで、撮像レンズでは、非点収差が良好に補正される。【０２９６】
また、第ｉレンズブロックが平行平板でもあるレンズ基板を含むと、そのレンズ基板が撮像素子のカバーガラスにもなり、特別なカバーガラスが不要になる。そのため、撮像レンズが小型になる。【０２９７】
また、レンズ基板の表面に、赤外線カットフィルタ被膜が成膜されると、そのレンズ基板は簡易に赤外線カットフィルタにもなる。すなわち、撮像レンズは、レンズブロックに含まれる平行平板の表面に赤外線カットフィルタを成膜することで、センサーカバーガラスに赤外線カットフィルタの機能を持たせなくてもよく、簡素な構造になり得る。【０２９８】
また、撮像レンズでは、下記の条件式（Ｆ１）が満たされると望ましい。この条件式（Ｆ１）は、第１レンズブロックにおける物体側面の焦点距離を規定するものである。【０２９９】
０．６≦ｆ[BK1]／ｆ[all]≦１．３  …  （Ｆ１）
ただし、
ｆ[BK1]    ：第１レンズブロックにおける物体側のレンズの物体側レンズ面の
焦点距離（第１レンズブロックの焦点距離ともいえる場合もある）
ｆ[all]       ：撮像レンズ全体の焦点距離
である。【０３００】
そして、レンズ系の焦点距離に対する第１レンズブロックの焦点距離の比が条件式（Ｆ１）の下限を下回ると、球面収差・コマ収差の補正が困難となる。一方で、条件式（Ｆ１）の上限値を超えると、光学全長が長くなってしまう。したがって、条件式（Ｆ１）を使用することにより、撮像レンズは、光学全長を短くし、良好な収差性能を得る。【０３０１】
また、撮像レンズでは、以下の条件式（Ｆ２）が、満たされると望ましい。【０３０２】
（｜ｚ−ｚ０｜）／Ｙ’＜０．１６  …（Ｆ２）
ただし、
第ｉレンズブロックにおける像側レンズ面に対応する以下の値である。
ｚ   ：  （c・ρ２）/[1+√(1-(1+K)・c・ρ２)]＋A・ρ４＋B・ρ６＋C・ρ８
＋D・ρ１０＋E・ρ１２＋F・ρ１４＋G・ρ１６＋H・ρ１８＋I・ρ２０ 
ｚ０  ：  （c・ρ２）/[1+√(1-(1+K)・c・ρ２)]                  
であり、さらに、
ρ    ：z軸(光軸)に対して垂直な方向の高さ
ｚ    ：高さρの位置での光軸方向のサグ量(面頂点基準)
ｃ    ：面頂点での曲率(曲率半径ｒの逆数)
K    ：円錐定数
Ｙ’ ：最大像高
である。【０３０３】
条件式（Ｆ１）を満たしている光学全長の短い光学系（撮像レンズ）において、条件式（２）の値が上限以上になると、非球面サグ量が大きくなりレンズ部厚を厚くせざるをえなくなる。したがって、条件式（Ｆ２）を満たす撮像レンズは、非球面形状を転写する金型の加工を容易にする。【０３０４】
また、撮像レンズは、第１レンズブロックは正の屈折力（パワー）を発揮するレンズと負の屈折力を発揮するレンズの接合レンズである．そして、この撮像レンズでは、下記条件式（Ｆ３）が満たされると望ましい。【０３０５】
５＜｜ν１−ν２｜＜７０  …  （Ｆ３）
ただし、
ν１：第１レンズブロックにおいて正の屈折力を発揮するレンズのアッベ数
ν２：第１レンズブロックにおいて負の屈折力を発揮するレンズのアッベ数
である。【０３０６】
条件式（Ｆ３）は、正の屈折力を発揮するレンズと負の屈折力を発揮するレンズとを接合させた光学要素である第１レンズブロック（接合レンズ）を含む撮像レンズにおいて、正の屈折力を発揮するレンズと負の屈折力を発揮するレンズとのアッベ数の差（ただし絶対値差）を規定するものである。そして、この条件式（Ｆ３）が満たされると、アッベ数の差を用いた収差補正が可能になり、撮像レンズは良好な収差性能を有する。【０３０７】
また、撮像レンズでは、第１レンズブロックは第１レンズ基板が含まれ、その第１レンズ基板の物体側基板面に形成された正の屈折力を発揮するレンズＬ[LS1o]（第１ｆレンズ要素）と、第１レンズ基板の像側面に形成された負の屈折力を発揮するレンズＬ[LS1m]（第１ｂレンズ要素）と、も含まれる。そして、この撮像レンズでは、以下の条件式（Ｆ３’）が満たされると望ましい。【０３０８】
５＜｜ν１−ν２｜＜７０  …  （Ｆ３’）
ただし、
ν１：第１レンズブロックにおいて正の屈折力を発揮するレンズＬ[LS1o]
のアッベ数
ν２：第１レンズブロックにおいて負の屈折力を発揮するレンズＬ[LS1m]
のアッベ数
である。【０３０９】
条件式（３’）は、第１レンズブロックがレンズ基板を含む場合において、レンズＬ[LS1o]とレンズＬ[LS1m]とのアッベ数の差（ただし、絶対値差）を規定するものである。そして、この条件式（Ｆ３’）が満たされると、撮像レンズは、条件式（Ｆ３）を満たした場合同様に、アッベ数の差を用いて収差を補正する。【０３１０】
なお、レンズ基板が平行平板であると、その平行平板の成型が容易であるので、撮像レンズのコストが下がる。また、レンズを形成する位置を選択する必要がなくなる。【０３１１】
また、撮像レンズでは、少なくとも１枚の樹脂で形成されるレンズを含むと望ましい。【０３１２】
つまり、撮像レンズにおけるレンズブロックが、レンズ基板を含み、さらに、そのレンズ基板の物体側にレンズＬ[LS1o]、像側にレンズＬ[LS1m]を含む場合、それらのレンズが樹脂で形成されていると望ましい。このようになっていれば、撮像レンズのコストが安くなり、その撮像レンズが容易に生産される。【０３１３】
また、撮像レンズにおいて、全てのレンズブロックが、レンズの屈折率とは異なる屈折率を有するレンズ基板を含むと望ましい。【０３１４】
また、撮像レンズでは、各々のレンズブロックに含まれるレンズが、紫外線硬化型樹脂で形成されており、以下の条件式（Ｆ４）が満たされると望ましい。【０３１５】
５＜｜ν１−ν２｜＜４０  …  （Ｆ４）
だだし、
ν１：第１レンズブロックにおいて正の屈折力を発揮するレンズのアッベ数。し
かし、第１レンズブロックがレンズ基板を含む場合、そのレンズ基板の物
体側のレンズＬ[LS1o]のアッベ数
ν２：第１レンズブロックにおいて負の屈折力を発揮するレンズのアッベ数。し
かし、第１レンズブロックがレンズ基板を含む場合、そのレンズ基板の像
側のレンズＬ[LS1m]のアッベ数
である。【０３１６】
また、撮像レンズにおいて、レンズＬ[LS1o]とレンズＬ[LS1m]とが、樹脂で形成されている場合、条件式（Ｆ４）における上限値、さらには選択可能なガラス材の種類は、制約をうけ、条件式（Ｆ４）の範囲に限定される。【０３１７】
なお、より望ましくは、条件式（Ｆ４）の下限値において、例えば、正の屈折力を発揮するレンズＬ[LS1o]と負の屈折力を発揮するレンズＬ[LS1m]とのアッベ数の差が１５以上であれば、良好に色収差が補正される。【０３１８】
一方で、条件式（Ｆ４）の値が上限値以上になると、コストや量産性のよい樹脂を組み合わせたレンズブロックが製造しづらい。【０３１９】
なお、以上の条件式（Ｆ１）〜（Ｆ４）に要する数値実施例（ただし、実施例３のみ）を下記に示しておく。
●実施例３の撮像レンズ
・ｆ[BK1]                  ＝３．２３［ｍｍ］
・ｆ[all]                    ＝２．７５［ｍｍ］
・ｆ[BK1]／ｆ[all]         ＝１．１７４５５
・サグ量（｜ｚ−ｚ０｜）  ＝０．１［ｍｍ］
・Ｙ’                       ＝１．７５［ｍｍ］
・（｜ｚ−ｚ０｜）／Ｙ’    ＝０．０５７１４
・｜ν１−ν２｜        ＝２５【０３２０】
ところで、レンズが紫外線硬化型樹脂で形成される場合には、ガラス平板にレンズが成型された後、紫外光が照射されることで、一度に大量のレンズブロックが製造される。また、紫外線硬化型樹脂はレプリカ法との相性（マッチング）がよい。なぜなら、レンズに紫外線硬化型樹脂が使用されると、レプリカ法によって、レンズブロックそのものが硬化される。その上、そのレンズブロックは光をよく通過させるので、照射される紫外線を紫外線硬化型樹脂全体にいきわたせ、スムースに硬化する。【０３２１】
また、紫外線硬化型樹脂は耐熱性に優れており、この樹脂を用いたレンズモジュールは、リフロー工程に耐え得る。そのため、工程を大幅に簡略化でき、大量生産かつ安価なレンズモジュールに最適である。【０３２２】
なお、条件式（Ｆ２）は紫外線硬化型樹脂を用いたレプリカ法においても効力を持つ。すなわち、条件式（Ｆ２）の上限値以上の非球面サグ量があると、紫外線硬化型樹脂で形成される部分の厚みが厚くなってしまい、紫外線の透過が悪くなる。つまり、紫外線硬化型樹脂が、硬化しにくくなる。【０３２３】
また、開口絞りは、いずれかのレンズ基板の表面（物体側基板面または像側基板面）に遮光性を有する被膜で成膜されることで、簡易に形成されると望ましい。すなわち、従来第１レンズと第２レンズとの間に別途も受けられていた開口絞りが、レンズ基板の表面に遮光性を有する被膜で成膜されることで完成すれば、他の部材が必要なくなり、開口絞りの機能が容易に実現する。【０３２４】
より望ましくは、第１レンズ基板とレンズＬ[LS1o]との間、または、最も物体側面上に開口絞りが形成されると、開口絞りは光を緩やかに曲げることができ、撮像面に対し、よりテレセントリック（主光軸が光軸と平行になるように光が進む状態）に光を到達させる。【０３２５】
また、撮像レンズにおいて、全てのレンズブロックがレンズ基板を含んでいれば、いずれかのレンズ基板の表面に赤外線カットフィルタ被膜が成膜できるので、容易に赤外線カットフィルタ完成する。【０３２６】
また、レンズにて、空気と面するレンズ面が全て非球面となれば、より良好な収差性能を有する撮像レンズが完成する。すなわち、非球面のレンズを使用したほうが、球面のレンズを使用した場合に比べ、収差を補正し易い。また、レンズ面等が、１面で収差を補正するよりも、複数の面で収差を補正するほうが容易なため、多くのレンズ面を非球面にした撮像レンズが収差を良好に補正する。
【図１】
2008102776.tif 000016
【図２】
2008102776.tif 000017
【図３】
2008102776.tif 000018
【図４】
2008102776.tif 000019
【図５】
2008102776.tif 000020
【図６Ａ】
2008102776.tif 000021
【図６Ｂ】
2008102776.tif 000022
【図６Ｃ】
2008102776.tif 000023
【図７Ａ】
2008102776.tif 000024
【図７Ｂ】
2008102776.tif 000025
【図７Ｃ】
2008102776.tif 000026
【図８Ａ】
2008102776.tif 000027
【図８Ｂ】
2008102776.tif 000028
【図８Ｃ】
2008102776.tif 000029
【図９Ａ】
2008102776.tif 000030
【図９Ｂ】
2008102776.tif 000031
【図９Ｃ】
2008102776.tif 000032
【図１０Ａ】
2008102776.tif 000033
【図１０Ｂ】
2008102776.tif 000034
【図１０Ｃ】
2008102776.tif 000035
【図１１】
2008102776.tif 000036
【図１２Ａ】
2008102776.tif 000037
【図１２Ｂ】
2008102776.tif 000038
【図１２Ｃ】
2008102776.tif 000039
【図１３】
2008102776.tif 000040
【図１４】
2008102776.tif 000041
【国際調査報告】
2008102776.tif 000042
2008102776.tif 000043
2008102776.tif 000044
2008102776.tif 000045